(57)【要約】  本開示の態様には、基材表面例えば不織ウェブ又は布地、プラスチックフィルム、及びそれらの積層体上のパターンであって、基材表面に３次元外観を表示させるパターンが含まれる。いくつかの実施形態においては、基材表面の３次元外観は、織布の糸を示す突出部及びくぼみに類似している。パターンの形成は、例えばエンボス加工による基材の変形ではなくて、基材表面への印刷によって行なう。パターンの実施形態には、基材表面上に配置された複数の繰り返し形状又はマクロ単位が含まれる。
2010510861.tif 000002
【特許請求の範囲】
【請求項１】
着用者の胴体下部領域の周囲に着用されるように構成された使い捨て吸収性物品であって、
第１の腰部領域と、第２の腰部領域と、第１の腰部領域と第２の腰部領域との中間に配置された股領域と、股領域内に配置された吸収性コアと、基材と、を含むシャーシを含み、
前記基材は、第１の表面と第１の表面の反対側に配置された第２の表面とを有するシートであって、第１の表面上に印刷されたマクロ単位の繰り返しパターンを含むシートを含み、
マクロ単位は、Ｌ１のＬ＊値を規定する第１の色ゾーンと、Ｌ２のＬ＊値を規定する第２の色ゾーンと、Ｌ３のＬ＊値を規定する第３の色ゾーンと、を含み、
Ｌ１＞Ｌ２＞Ｌ３、３≦（Ｌ１−Ｌ３）、及び２≦（Ｌ１−Ｌ２）≦１０である使い捨て吸収性物品。
【請求項２】
各マクロ単位は、距離Ｄｌａｔで分離された第１の横方向の印刷点と第２の横方向の印刷点とを含み、各マクロ単位は、距離Ｄｌｏｎｇで分離された第１の長手方向の点と第２の長手方向の点とを含み、マクロ単位は、Ｄｌｏｎｇ及びＤｌａｔの最小値によって規定される１．５ｍｍ以上である基本寸法Ｕｐｄを含む、請求項１に記載の使い捨て吸収性物品。
【請求項３】
マクロ単位の繰り返しパターンによって、最小の理論上の正方形又は矩形が包囲することができる外側周囲が規定され、
各マクロ単位は、印刷点の矩形又は正方形によって包囲され得、
隣接するマクロ単位の、印刷点の矩形又は正方形の間の最大距離が、０．１ｘ（前記最小の理論上の正方形又は矩形の最も長い辺の長さ）によって規定される、請求項１に記載の使い捨て吸収性物品。
【請求項４】
前記基材はバックシートを含み、第１の表面は衣類側表面を含む、請求項１に記載の使い捨て吸収性物品。
【請求項５】
前記基材はトップシートを含み、第１の表面は身体側表面を含む、請求項１に記載の使い捨て吸収性物品。
【請求項６】
前記基材が、吸収性コアカバー、捕捉層、耳部、及び締着要素から成る群から選択される少なくとも１つのおむつ構成要素を含む、請求項１に記載の使い捨て吸収性物品。
【請求項７】
前記基材は、不織布と、不織布上に印刷されたマクロ単位の繰り返しパターンと、を含む請求項１に記載の使い捨て吸収性物品。
【請求項８】
前記基材は、プラスチックフィルムと、プラスチックフィルム上に印刷されたマクロ単位の繰り返しパターンと、を含む請求項１に記載の使い捨て吸収性物品。
【請求項９】
前記基材は、プラスチックフィルム上に印刷された不織布を更に含む、請求項８に記載の使い捨て吸収性物品。
【発明の詳細な説明】
【技術分野】
【０００１】
本開示は、フィルム及び布地などの基材に関し、より詳細には、３次元外観を与えるようにパターンが印刷されたフィルム及び布地に関する。
【背景技術】
【０００２】
不織布ウェブ又は布地、プラスチックフィルムなどの基材が、当該技術分野において知られており、これらは強度及び流体取り扱い特性などを、多くの製品、例えば消費財（例えば、吸収性物品）、商品（例えば、医療品）、及びこのような物品に対するパッケージなどに有用にする種々の特性を有している。一例では、幼児及び他の失禁症状のある個人によって着用される吸収性物品、例えばおむつ及び失禁用ブリーフは、排出尿及び他の身体滲出物を収容して封じ込めるように構成されている。これらの物品は、基材、例えば不織布及び織布及び／又はプラスチックフィルムの多数の層によって構成されている場合がある。より詳細には、このような吸収性物品は、内部の身体側トップシートと、外部の衣類側バックシートと、その中間に配置された吸収性コアとを有するシャーシを含んでいる場合がある。このような物品のトップシート及び／又はバックシートはしばしば、不織ウェブ、プラスチックフィルム、及び／又はそれらの積層体から構成されている。このような吸収性物品のトップシート及びバックシートは、排出された物質を吸収及び／又は封じ込めるように、また滲出物を着用者の皮膚及び着用者の衣類並びに寝具から隔離するように機能することが可能である。これらの基材は、実質的に滑らかで、平坦でかつ美的に魅力がない場合が一般的である。これらの基材を、それらに特定の外観を与えるように変更する取り組みが行なわれている。例えば、このような基材を、より柔らかい、キルトでできた、及び／又は布地様外観を示すように変更することが可能である。例えば、布地様外観を伴うフィルム／不織布積層体を含むことが可能なバックシートを有するおむつを提供することが望ましい場合がある。ニット生地又は織布は、人に容易に分かる３次元外観を有している。こうして不織布及び／又はプラスチックフィルムはしばしば、より布地様外観を積層体の可視面に与える物理的又は実３次元パターンが得られるように変更される。基材に実３次元外観をもたらす既知の方法の非限定的な例としては、エンボス加工及びハイドロモールディングが挙げられる。実３次元パターンをもたらす基材の物理的な変更によって、顕著な３次元の質感も基材に与えられる。何ら理論に拘束されることを意図するものではないが、人例えば介護者は、基材の表面上に明るいゾーン及び暗いゾーンが見えれば、実３次元パターン又は質感（例えば、エンボス加工された基材の表面に存在する山及び谷を含む場合がある）の存在に気が付く場合があることが考えられる。山が受け取る光は谷よりも多いため、人には、山は谷よりも明るく見える場合がある。加えて、山は、谷を更に暗くする傾向がある影を落とす場合がある。
【０００３】
エンボス加工又はハイドロモールディングによって、基材に所望の３次元外観をもたらす場合があるが、このようなプロセスに付随する不利な点が存在する。基材は少なくとも部分プラスチック特性を有している場合があるが、このような基材をエンボス加工すると、基材のサイズを小さくすることによって３次元パターンの形成が何らかの形で補償されなくてはならないという意味で、基材を「縮ませる」場合がある。その結果、特定の使用に対して、平坦な材料を用いた場合に本来必要とされたであろう量よりも大きな量の材料が必要とされる場合がある。加えて、特に基材が比較的低い坪量としてエンボス加工されたときに、エンボス加工又はハイドロモールディングが基材を弱めるように作用する場合がある。こうして、比較的高い坪量を伴う基材が、エンボス加工のときに必要とされる場合がある。更に、これらのプロセスでは多くの場合、製造業者に、機器例えばエンボス加工ローラ又はハイドロモールディングドラム又はベルトを得るための著しい設備投資が要求される。このような著しい設備投資のため、製造業者がその機器を交換することは、それを望むたびに、大幅なコスト高になる可能性があり、また製造業者がその基材上に多くの３次元パターンを与えることを妨げることにもなる場合がある。
【０００４】
印刷物には、種々のグラフィックス例えばデザイン、文字、アイコンなどを表示して物品をより美的に魅力的なものにするために印刷された基材を含む物品が豊富に存在する。このようなデザイン、文字、及びアイコンは、デザイン、文字、及びアイコンそれ自体に３次元外観を与えるために印刷され得る。しかし基材上にこれらのデザイン、文字、及び／又はアイコンを印刷することは、基材自体の外観を変えない場合がある。その結果、基材を見る人が、基材自体が３次元であることを知覚しない、及び／又は思わない場合もある。当該技術分野においては、実３次元パターン又は質感を含むと共に、グラフィックスを含むように印刷された基材も知られている。
【発明の概要】
【発明が解決しようとする課題】
【０００５】
以下で詳細に説明するように、本開示の態様には、必ずしも基材自体を物理的に変更することなく、知覚３次元外観を基材に与えるように基材を印刷することが含まれる。
【課題を解決するための手段】
【０００６】
本開示の態様には、不織ウェブ又は布地、プラスチックフィルム、及びそれらの積層体などの基材上に繰り返しパターンを印刷して、この基材に、基材の可視面に３次元外観を表示させることが可能な知覚３次元パターンを与えることが含まれる。いくつかの実施形態においては、基材表面の３次元外観は、織布内の糸を示す突出部及びくぼみと類似している。パターンの形成は、エンボス加工又はハイドロモールディングなどによって基材を変えるか又は変形させることではなく、基材表面への印刷によって行なう。
【０００７】
１つの形態においては、着用者の胴体下部領域の周囲に着用されるように構成された使い捨て吸収性物品は、第１の腰部領域と、第２の腰部領域と、第１の腰部領域と第２の腰部領域との中間に配置された股領域と、股領域内に配置された吸収性コアと、基材と、を含むシャーシを含み、基材は、第１の表面と第１の表面の反対側に配置された第２の表面とを有するシートであって、第１の表面上に印刷されたマクロ単位の繰り返しパターンを含むシートを含み、マクロ単位は、Ｌ１のＬ＊値を規定する第１の色ゾーンと、Ｌ２のＬ＊値を規定する第２の色ゾーンと、Ｌ３のＬ＊値を規定する第３の色ゾーンと、を含み、Ｌ１＞Ｌ２＞Ｌ３、３≦（Ｌ１−Ｌ３）、及び２≦（Ｌ１−Ｌ２）≦１０である。
【０００８】
別の形態においては、着用者の胴体下部領域の周囲に着用されるように構成された使い捨て吸収性物品は、第１の腰部領域と、第２の腰部領域と、第１の腰部領域と第２の腰部領域との中間に配置された股領域と、股領域内に配置された吸収性コアと、基材と、を含むシャーシを含み、前記基材は、第１の表面と第１の表面の反対側に配置された第２の表面とを有するシートであって、第１の表面上に印刷されたマクロ単位の繰り返しパターンを含むシートを含み、マクロ単位は、少なくとも、Ｌ１のＬ＊値を規定する第１の色ゾーンと、Ｌ２のＬ＊値を規定する第２の色ゾーンと、Ｌ３のＬ＊値を規定する第３の色ゾーンと、Ｌ４のＬ＊値を規定する第４の色ゾーンとを含み、Ｌ１＞Ｌ２＞Ｌ３＞Ｌ４、２≦（Ｌ１−Ｌ２）≦１０、２≦（Ｌ２−Ｌ３）、及び２≦（Ｌ３−Ｌ４）である。
【０００９】
更に別の態様においては、基材が、第１の表面と第１の表面の反対側に配置された第２の表面とを有するシートと、第１の表面上に印刷されたマクロ単位の繰り返しパターンとを含み、マクロ単位は、Ｌ１のＬ＊値を規定する第１の色ゾーンと、Ｌ２のＬ＊値を規定する第２の色ゾーンと、Ｌ３のＬ＊値を規定する第３の色ゾーンとを含み、Ｌ１＞Ｌ２＞Ｌ３、３≦（Ｌ１−Ｌ３）、及び２≦（Ｌ１−Ｌ２）≦１０である。
【００１０】
更に別の態様においては、基材が、第１の表面と第１の表面の反対側に配置された第２の表面とを有するシートと、第１の表面上に配置されたマクロ単位の繰り返しパターンとを含み、マクロ単位は、少なくとも、Ｌ１のＬ＊値を規定する第１の色ゾーンと、Ｌ２のＬ＊値を規定する第２の色ゾーンと、Ｌ３のＬ＊値を規定する第３の色ゾーンと、Ｌ４のＬ＊値を規定する第４の色ゾーンとを含み、Ｌ１＞Ｌ２＞Ｌ３＞Ｌ４、２≦（Ｌ１−Ｌ２）≦１０、２≦（Ｌ２−Ｌ３）、及び２≦（Ｌ３−Ｌ４）である。
【図面の簡単な説明】
【００１１】
【図１】基材の表面上に印刷される繰り返しパターンの一実施形態の平面図。
【図２】４つの色ゾーンを有するマクロ単位の一実施形態。
【図３】ＣＩＥＬＡＢ色スケールと共に用いる３つの軸（すなわち、Ｌ＊、ａ＊、及びｂ＊）の図。
【図４】基材上にパターンをどのように印刷し得るかの一例。
【図５】図５を横断方向に見た平面図。
【図６】図５を機械方向に見た平面図。
【図７】図１のパターンからの単一のマクロ単位の詳細図。
【図８】異なるサイズ及び異なる数の着色ゾーンを有する複数の略円形状のマクロ単位。
【図９】異なるサイズ及び異なる数の着色ゾーンを有する複数の略正方形状のマクロ単位。
【図１０】隣接するマクロ単位間の距離を推定するために用いられる印刷点矩形を伴う複数のマクロ単位を例示。
【図１１】４辺を有する矩形形状を規定する外側周囲を有する基材の印刷領域の実施形態を例示。
【図１２】円形状を規定する外側周囲を有する基材の印刷領域の実施形態を例示。
【図１３】三角形状を規定する外側周囲を有する基材の印刷領域の実施形態を例示。
【図１４】本開示によるパターンが配置された１又は複数の基材を用いても良い使い捨て失禁用吸収性物品の平面図。
【図１５】種々の基材に加えても良いパターンの第１の例。
【図１６】種々の基材に加えても良いパターンの第２の例。
【図１７】種々の基材に加えても良いパターンの第３の例。
【図１８】種々の基材に加えても良いパターンの第４の例。
【発明を実施するための形態】
【００１２】
本開示を理解する上で、以下の用語が有用であり得る。
【００１３】
「吸収性物品」は、本明細書においては、主な機能が、汚れ及び排泄物を吸収及び保持することである消費者製品を指すために用いられる。
【００１４】
「無生物表面に対する吸収性物品」は、本明細書においては、主な機能が汚れ及び排泄物を吸収及び保持することである消費者製品であって、その汚れ及び排泄物が、固体又は液体の場合があり無生物表面例えば床、物体、家具などから取り除かれるものである消費者製品を指すために用いられる。無生物表面に対する吸収性物品の非限定的な例としては、以下のものが挙げられる。ダスティングシート例えばスウィファー（SWIFFER）クリーニングシート、予め濡らした拭き取り布又はパッド例えばスウィファーウェット（SWIFFER WET）の予め濡らした布地、ペーパータオル例えばバウンティ（BOUNTY）ペーパータオル、ドライヤシート例えばバウンス（BOUNCE）ドライヤシート及びドライクリーニング布地例えばドライエル（DRYEL）クリーニング布地（すべて、プロクター＆ギャンブル社（Procter&Gamble Comapny）から販売される）。
【００１５】
「生物表面に対する吸収性物品」は、本明細書においては、主な機能が身体滲出物を吸収して封じ込めることである消費者製品、より具体的には、ユーザーの身体に接して又は近接して配置されて、身体から排出される種々の滲出物を吸収して封じ込めるデバイスを指すために用いられる。失禁用吸収性物品の非限定的な例としては、おむつ例えばパンパース（PAMPERS）おむつ、トレーニング及びプルオンパンツ例えばパンパースフィーリンラーン（PAMPERS FEEL'N LEARN）及びイージアップス（EASY UPS）、成人失禁用ブリーフ及び下着例えばアテンズ（ATTENDS）成人失禁用衣類、婦人用衛生衣類例えばパンティライナー、吸収性インサートなど例えばオールウェイズ（ALWAYS）及びタンパックス（TAMPAX）、トイレットペーパー例えばチャーミン（CHARMIN）トイレットペーパー、ティッシュペーパー例えばパフス（PUFFS）ティッシュペーパー、顔拭き取り布又は布地例えばオレイデイリーフェイシャル（OLAY DAILY FACIAL）拭き取り布又は布地、トイレトレーニング拭き取り布例えばカンドュー（KANDOO）予め濡らした拭き取り布（すべて、プロクター＆ギャンブル社から販売）が挙げられる。
【００１６】
「消費者製品」は、本明細書においては、一般的にパッケージ形態で販売されて消費者によって種々の小売店から購入され得る、大きな工業規模（すなわち、数十万の単位）で製造及び販売される製品を指すために用いられる。
【００１７】
用語「実サイズ」又は「実寸法」は、本明細書においては、当該技術分野において知られる任意の好適な手段又はツールによって測定され、メートル、センチメートル、又はミリメートルで表現される少なくとも１つの寸法における物体の物理的寸法を指すために用いられる。
【００１８】
用語「知覚サイズ」又は「知覚寸法」は、本明細書においては、人と物体との距離に依存して、２０−２０の視力（正常又は補正）を有する人によって知覚されるときの物体の相対的なサイズを指すために用いられる。例えば、２つの物体が、実サイズは同じだが、人又は観察者から異なる距離に配置されている場合、観察者に最も近い物体の知覚サイズは、更に遠い物体の知覚寸法よりも大きい。
【００１９】
本明細書で使用するとき、用語「おむつ」とは、一般的に、幼児、よちよち歩きの幼児及び失禁症状のある人によって、その着用者の胴体下部周囲に着用される吸収性物品を指す。
【００２０】
本明細書では、用語「使い捨て」は、洗濯、又は他の方法で吸収性物品として修復若しくは再使用することを一般に意図しない吸収性物品を説明するために使用される（例えば、その物品を、１回の使用後に廃棄することを意図し、またリサイクルするか、堆肥化するか、そうでなければ環境に適応した方法で処分するように構成されても良い）。
【００２１】
本明細書で使用するとき、「配置されている」という用語は、ある要素（１つ又は複数）が、特定の場所若しくは位置に他の要素と共にマクロ単一構造体として、又は別の要素に結合している別個の要素として形成されている（結合され位置する）ことを意味する際に用いる。
【００２２】
本明細書で使用するとき、「結合されている」という用語は、ある要素を別の要素に直接取り付けることによって、その要素がその別の要素に直接取り付けられる構成、及びある要素を中間部材（１つ又は複数）に取り付けてから、その中間部材を別の要素に取り付けることによって、その要素がその別の要素に間接的に取り付けられる構成を包含する。
【００２３】
用語「マクロ単位」又は「マクロセル」は、本明細書においては、基材の表面上の要素であって、その全体形状が、基材を自然日光条件で人の目から約３０ｃｍの距離に保持し、その人によって容易に見ること及び／又は気付くことができる要素を記述するために用いられる。マクロ単位又はセルは、複数のマイクロ単位であって、全体形状が、基材を自然日光条件で人の目から約３０ｃｍの距離に保持し、その人によって容易に見ること及び／又は気付くことができないマイクロ単位から形成されていても良い。
【００２４】
用語「基材」は、本明細書においては、材料として、主に２次元（すなわち、ＸＹ平面）であり、厚さ（Ｚ方向）がその長さ（Ｘ方向）及び幅（Ｙ方向）と比べて比較的小さい（すなわち、１／１０以下である）材料を記述するために用いられる。基材の非限定的な例としては、単独で用いても良いし、１又は複数のウェブ、層、フィルム、及び／又は箔に積層しても良いウェブ又は層又は繊維性材料、フィルム及び箔例えばプラスチックフィルム又は金属製の箔が挙げられる。
【００２５】
用語「ＣＩＥＬＡＢ色スケール又は空間」は、本明細書においては、ＲＧＢ及びＣＭＹＫを包含する色空間を指し、また一般的に、人間の目が見ることができる可視スペクトルを記述する。ＣＩＥＬＡＢ空間においては、色を３つのパラメーターＬ＊、ａ＊、及びｂ＊によって規定しても良く、Ｌ＊は相対輝度を表わし、ａ＊は相対的な赤色度−緑色度を表わし、ｂ＊は相対的な黄色度−青色度を表わす。
【００２６】
用語「色」は、本明細書において参照される場合、任意の原色、すなわち、白色、黒色、赤色、青色、スミレ色、オレンジ色、黄色、緑色、及び藍色と共に、それらの任意のずれ又はそれらの組み合わせ（ＣＩＥＬＡＢ色空間又はスケールにおける）を含む。
【００２７】
用語「背景色」は、本明細書においては、基材の色を指す。
【００２８】
用語「白色」は、本明細書においては、Ｌ＊値が少なくとも９０であり、ａ＊値が０±３に等しく、ｂ＊値が０±３に等しい色（国際照明委員会、１９７６Ｌ＊、ａ＊、ｂ＊色スケール、すなわちＣＩＥＬＡＢの用語を使って）を指す。
【００２９】
用語「繰り返しパターン」は、本明細書においては、実質的に同じ全体形状を有する少なくとも約１０個のマクロ単位を含み得るパターンを指すために用いられる。
【００３０】
用語「実３次元パターン又は質感を伴う基材」は、本明細書においては、実質的に平坦な基材ではなく、そのトポグラフィの顕著な変動を示すパターンを有する基材を指すために用いられる。人は、この実３次元パターンを見ることができる場合がある。人は、基材上のパターンを横切るように指を通過させることによって３次元パターントポグラフィに気が付き及び／又は感じることが可能である。
【００３１】
用語「知覚３次元パターン又は質感を伴う基材」は、本明細書においては、トポグラフィの顕著な変動は示さないがそれにもかかわらず観察者によって３次元であると知覚されるパターンを有する基材を指すために用いられる。人は、この知覚３次元パターンを見ることができる場合があるが、基材上のパターンを横切るように指を通過させることによって３次元パターントポグラフィに気が付き及び／又は感じることができない場合がある。
【００３２】
本明細書で使用する場合、「伸長性」という用語は、約４００ｇｍ／ｃｍの荷重におけるヒステリシス試験の上向き曲線上で、少なくとも１０５％伸びた長さまで伸長できる材料を指す。「非伸長性」という用語は、約４００ｇｍ／ｃｍの荷重におけるヒステリシス試験の上向き曲線上で、少なくとも５％まで伸長できない材料を指す。
【００３３】
本明細書で使用する場合、「弾性」又は「エラストマーの」という用語は、バイアス力を加えると、破裂又は破断することなく、弛緩した元の長さの少なくとも約１１０％、好ましくは１２５％の長さまで伸長でき（すなわち、元の長さを１０％、好ましくは２５％上回る長さまで伸長でき）、加えた力を除くと、その伸びの少なくとも約４０％まで回復し、好ましくはその伸びの少なくとも６０％まで回復し、最も好ましくはその伸びの少なくとも約８０％まで回復するあらゆる材料を指す。例えば、１００ｍｍの初期長を有する材料は、少なくとも１１０ｍｍまで延伸でき、力を除くと、１０６ｍｍまで収縮することになる（４０％の回復率）。本明細書において、「非弾性」という用語は、上記の「弾性」の定義に当てはまらないあらゆる材料を指す。
【００３４】
本明細書で使用する場合、「延伸性がある」という用語は、バイアス力を加えると、破裂又は破断することなく、弛緩した元の長さの少なくとも１１０％、好ましくは１２５％の長さまで伸長でき（すなわち、元の長さを１０％、好ましくは２５％上回る長さまで伸長でき）、加えた力を除くと、その伸びの約４０％未満、好ましくは約２０％未満、より好ましくは約１０％未満というわずかな回復を見せるあらゆる材料を指す。
【００３５】
用語「可撓性」は、本明細書においては、材料が、外部から印加された力がある場合に順応するか又は変形する傾向がある場合があることを意味する。本明細書に記載する布地剛性試験の下で測定した場合、可撓性シート材料は、ピーク負荷が約９．８１Ｎ（１０００ｇｆ）を下回る場合がある。
【００３６】
用語「硬い」は、本明細書においては、材料が、外部から印加された力がある場合に変形に耐える傾向がある場合があることを意味する。本明細書に記載する布地剛性試験の下で測定した場合、剛性材料は、ピーク負荷が９．８１Ｎ（１０００ｇｆ）を超える場合がある。
【００３７】
本明細書において本発明の実用性を限定することを意図するものではないが、その用途の簡単な記載は、本発明を説明するのに役立つと考えられる。印刷物には、実３次元パターンを含むように変更された基材が豊富に存在する。これらの実３次元パターンは、とりわけ、基材に対する消費者の魅力を増加させるものと考えられる。しかし、基材を実３次元パターンを与えるために変更することには、多くの不利が伴う。例えばコスト（材料及び機器における）、基材特性（例えば、強度）の悪化、及び製品傾向に応答してパターン形状又はデザインを変更する能力の制限である。印刷物には、基材を消費者に対してより美的に魅力あるものにし得るグラフィックス例えばデザイン、文字、アイコンなどを含む基材が豊富に存在する。しかし、グラフィックス自体は３次元のように見える場合があるが、基材上に印刷されたグラフィックスを見ている人、例えば消費者は、基材自体が３次元であると知覚すること及び／又は思うことがない場合がある。基材を含む物品に対する消費者の魅力は、基材上に物理的に形成された実３次元繰り返しパターンではなくて、基材上に印刷され得る知覚３次元繰り返しパターンを基材に与えることによって改善される場合があることが分かる。他にも利益があるが、基材上に知覚３次元パターンを印刷することによって、基材の製造コストが低減されること、基材の機械的特性が変更されない場合があること、及び製造業者がパターンデザイン、形状、及び／又は色の変更を望む場合に製造業者がより多くの選択肢及び適応性を有し得ることが考えられる。
【００３８】
本開示の態様には、不織ウェブ又は不織布、プラスチックフィルム、及びそれらの積層体などの基材上に繰り返しパターンを印刷して、この基材に、基材の可視面に３次元外観を表示させる場合がある知覚３次元パターンを与えることが含まれる。いくつかの実施形態においては、基材表面の３次元外観は、織布内の糸を示す突出部及びくぼみと類似している。パターンの形成は、例えばエンボス加工又はハイドロモールディングによって基材を変える又は変形させることではなく、基材表面への印刷によって行なう。後でより詳細に述べるように、パターンの実施形態には、基材表面上に配置された複数の繰り返し形状又はマクロ単位が含まれる。各マクロ単位は３つ以上の色ゾーンを有する。いくつかの実施形態においては、印刷色によってすべての色ゾーンを規定する。他の実施形態においては、基材色又は背景色によって１つの色ゾーンを規定して、色ゾーンの残りの部分を基材上に印刷しても良い。色ゾーンは、異なるレベルのコントラストを有し、色ゾーンは、最も暗いものから最も明るいものまで遷移する。また色ゾーンは、異なる形状及びサイズを有する場合があり、異なる形状及びサイズのマクロ単位を規定する場合がある。マクロ単位は、繰り返しパターンを形成するように並べられたときに、基材表面上のより明るい及びより暗い領域を規定する。より明るい及びより暗い領域によって、基材表面から突出している隆起領域の頂点で光が明るく輝く外観がもたらされる。加えて、隆起領域は、他の領域例えば基材の谷に影を落としているように見える。こうして、パターンによって、基材に知覚３次元布地様外観をもたらす３次元表面特性を有する外観が、基材に与えられる。
【００３９】
パターンの種々の特徴及びパラメーターは、知覚３次元外観を基材表面だけでなく個々のマクロ単位に与えるように変えることができる。後でより詳細に述べるように、個々のマクロ単位のサイズ、個々のマクロ単位におけるゾーンの数、及び色ゾーン間のコントラストレベルを、所望の３次元外観が得られるように、基材サイズ及び基材を見るべき距離に基づいて変えても良い。一例では、ある特定の視距離に対して個々のマクロ単位のサイズを大きくしたときにマクロ単位が３次元的に見えるようにするために、個々のマクロ単位が付加的な色ゾーンを必要としても良い。別の例では、ある特定のマクロ単位サイズに対して視距離を増したときにマクロ単位が３次元的に見えるようにするために、より少ない色ゾーンが必要である場合がある。
【００４０】
前述したように、本開示によるパターンは、基材上に印刷された色ゾーンを有することが可能である。こうして、知覚繰り返しパターンを形成するマクロ単位の色ゾーン間のコントラストレベルを、種々の仕方で実現することができる。一例では、マクロ単位を、異なるレベルの暗さを有する複数のインクを用いて印刷する。より詳細には、第１のインクを用いて第１の色ゾーンを印刷しても良く、また第１のインクよりも明るい（すなわち、より高いＬ＊値を有する）第２のインクを用いて第２の色ゾーンを印刷しても良い。別の例では、マクロ単位を単一のインクを用いて印刷し、第１のゾーンの印刷は、第２のゾーンの場合よりも厚いインクコーティング又はより多いインクコーティングを用いて行なう。こうして、第１のゾーンは第２のゾーンよりも暗く見える。更に別の例では、第１のゾーンが第２のゾーンよりも暗くなることを、両方のゾーンを同じインクを用いて印刷するが、第１のゾーンを第２のゾーンよりも高いドット又は高いマイクロ単位密度を用いて印刷することによって、実現しても良い。コントラストレベルに加えて、マクロ単位及び色ゾーンのサイズ及び形状を変えて、所望の外観を実現しても良い。例えば、いくつかの実施形態においては、色ゾーンの印刷を、結果として生じるマクロ単位が非対称形状となるように行なう。マクロ単位が非対称形状を有することによって、基材が３次元的に見えかつそのように知覚されるようにすることを、パターンに並べられた複数の隆起領域を有することによって行なっても良いことが考えられる。いくつかの実施形態においては、マクロ単位及び色ゾーンは、基材表面上に形成された隆起領域に光が基材表面に対して比較的小さい鋭角で衝突したときの実３次元パターンに対する光の効果をシミュレートするように、サイズ取りして成形する。加えて、隆起領域は、基材表面の他の領域上に比較的長い影を落とすように見えても良い。本明細書では、比較的暗い印刷色と比較して基材背景色は比較的高いＬ＊値を有するという観点で多くのパターン実施形態について説明しているが、いくつかの実施形態においては、基材背景色は比較的暗くても良く（すなわち、低いＬ＊値を有していても良く）、印刷色は比較的明るくても良い（すなわち、印刷色は背景色よりも大きなＬ＊値を有していても良い）ことを理解されたい。
【００４１】
印刷を、像が基材例えば紙、ポリオレフィンフィルム、又は不織布上に再現される工業プロセスであると特徴付けても良い。種々のクラスの印刷プロセスが存在しており、孔版及びスクリーン印刷、凸版印刷、平版印刷、凹版印刷、及び電子印刷などを挙げることが可能である。ステンシル及びスクリーン印刷を、Ｔシャツ、標識、旗、掲示板などを印刷するために用いても良い。凸版印刷の例として活版印刷及びフレキソ印刷を挙げても良い。平版印刷の例として、オフセットリトグラフィ、スクリーンレスリトグラフィ、コロタイプ印刷、及び水なし印刷を挙げても良い。加えて、凹版印刷の例として、グラビア、スチールダイ、及び銅版画を挙げても良い。電子印刷の例として、静電気、磁気写真、イオン又は電子付着、及びインクジェット印刷を挙げても良い。種々のタイプの印刷プロセスを用いて、本明細書に開示したパターンを形成しても良いことを理解されたい。例えば、いくつかの実施形態においては、フレキソ印刷を用いることが好ましい場合がある。特に、フレキソ印刷では、ゴム又はプラスチックから形成された印刷板上に像をわずかに隆起させたものを用いても良い。インク付けされたプレートを、像を基材に移す円筒上で回転させる。フレキソ印刷は、高速乾燥インクを用いる比較的高速の印刷プロセスであり得る。加えて、フレキソ印刷は、多くのタイプの吸収剤及び非吸収性材料上に、連続パターンを印刷するために用いることができる。他の実施形態ではグラビア印刷を用いても良い。より詳細には、グラビア印刷では、金属プレートの表面上での像エッチングを用いる。エッチング領域にインクを充填して、プレートを、像を基材に移す円筒上で回転させる。更に他の実施形態では、インクジェット印刷を用いても良い。インクジェットは、インクの液滴を小さい開口部から媒体上の指定位置に直接噴出して像を形成するノンインパクト・ドットマトリックス印刷技術である。インクジェット技術の２つの例として、熱気泡又はインクジェット及び圧電式が挙げられる。熱気泡では熱を用いてインクを塗布し、圧電式では結晶及び電荷を用いてインクを塗布する。
【００４２】
前述した種々のタイプの印刷プロセスに加えて、種々のタイプのインク又はインクシステム、例えば溶媒ベース、水ベース、及びＵＶ硬化のインクを種々のタイプの基材に塗布して、開示したパターンを形成しても良いことを理解されたい。インクシステム間の主な違いは、インクを乾燥又は硬化させるために用いる方法である。例えば、溶媒ベース、及び水ベースのインクは蒸発によって乾燥させる一方で、ＵＶ硬化のインクは化学反応によって硬化させる。インクには、種々の機能を担う、溶媒、着色剤、樹脂、添加剤、及び（紫外線インクの場合のみ）ＵＶ硬化化合物などの成分が含まれていても良い。
【００４３】
図１に、基材表面に３次元外観を与えるために基材１０４の表面１０２上に配置しても良いパターン１００の一例を示す。図１に示すように、パターン１００には、基材表面１０２上に配置された複数の繰り返し形状又はマクロ単位１０６が含まれている。以下、より詳細に述べるように、各マクロ単位１０６は、異なるレベルのコントラストを有する３つ以上の色ゾーン１０８を有していても良く、色ゾーン１０８は、最も暗いものから最も明るいものまで遷移する。前述したように、基材背景色によって１つの色ゾーンを規定して、色ゾーンの残りの部分を印刷しても良い。あるいは、印刷色によってすべての色ゾーンを規定しても良い。図１に示すように、色ゾーン１０８によって、基材表面１０２上のより明るい領域１１０及びより暗い領域１１２が規定されている。より明るい領域１１０によって、基材表面から突出する隆起領域から光が強烈に反射される（すなわち、明るく輝いていると知覚される）外観が与えられる。加えて、より暗い領域１１２によって、隆起領域が基材の他の領域（すなわち、谷部分）に影を落としている外観が与えられる。こうして、本パターンによって、人によって知覚され得る３次元の表面特性を有する基材外観が与えられる。
【００４４】
後でより詳細に述べるように、本明細書で開示されるパターン、例えば図１に示すパターン１００を、種々の物品中に組み込んでも良い基材上に印刷して、所望の知覚３次元又は布地様外観をもたらしても良い。例えば、パターンを、多くの物品において用いられる不織布、フィルム、箔及び／又はそれらの積層体上に配置しても良い。このような物品の非限定的な例としては、無生物表面用の吸収性物品、生物表面用の吸収性物品、及びパッケージが挙げられる。本発明の範囲を限定することを意味するものではないが、パターンを、生物表面用の吸収性物品（例えばおむつ）を製造するために用いられる不織布、フィルム、及び／又はそれらの積層体上に配置しても良い。この実施形態においては、パターンを、吸収性物品の外部及び／又は内部層として用いられる基材上に配置して、この層に知覚３次元布地様外観を与えても良い。他の例では、医療品、例えば外科のガウン、ドレープ、フェースマスク、ヘッドカバー、靴カバー、創傷包帯、包帯、及び滅菌ラップにおいて、開示したパターンを伴う基材を用いて、医療品が知覚３次元布地様外観を示すようにしても良い。更に他の例では、種々のタイプの製品を保持するために用いられるパッケージングを、知覚３次元パターン又は質感をパッケージに与えるパターンが配置された基材を用いて構成しても良い。場合によっては、可撓性であり及び／又は可撓性を示す基材上にこのようなパターンを印刷することが好ましい場合があり、その結果、特定の形状（例えば人の身体又はパッケージ）に基材が適合することが可能になる。このような可撓性基材シート材料のいくつかは、本明細書に記載する布地剛性試験の下で測定した場合に、ピーク負荷が約９．８１Ｎ（１０００ｇｆ）未満であっても良く、他の材料は、ピーク負荷が約２．４５Ｎ（２５０ｇｆ）未満であっても良く、更に他の材料は、ピーク負荷が約０．０９Ｎ（１０ｇｆ）未満であっても良い。種々の材料から構成され、種々の坪量を有する種々のタイプの不織布、フィルム、及び／又は積層体を用いても良いことを理解されたい。不織布の例として、ポリプロピレン（すなわち、ＰＰ）、ポリエチレン（すなわち、ＰＥ）、又はこれらのコポリマーであって、坪量が５グラム／平方メートル〜６０グラム／平方メートルのものを挙げても良い。加えて、フィルム基材の例として、ＰＰ、ＰＥ、又はこれらのコポリマー、通気性及び非通気性フィルムであって、坪量が５グラム／平方メートル〜５０グラム／平方メートルのものを挙げても良い。
【００４５】
本開示によるパターンの実施形態は、パターンが印刷される基材表面に知覚３次元又は布地様外観を与えるために変化しても良い種々の特性を有することを理解されたい。このような特性には、次のうちの少なくとも１つが含まれていても良い：各マクロ単位における色ゾーンの数、隣接する色ゾーン間のコントラストレベル、マクロ単位サイズ、隣接するマクロ単位間の最大距離、及びそれらの任意の組み合わせ。前述したように、図１に、基材表面に知覚３次元及び／又は布地様外観を与えるために用いても良い知覚３次元繰り返しパターン１００の一実施形態を示す。繰り返しパターン１００はマクロ単位１０６の配列によって規定され、各マクロ単位１０６は、少なくとも３つの色ゾーン１０８を有している。図２に、第１の色ゾーン１１４、第２の色ゾーン１１６、第３の色ゾーン１１８、及び第４の色ゾーン１２０を含むマクロ単位１０６の一実施形態を示す。図２に示す実施形態において、第１の色ゾーン１１４は基材背景色に対応し、一方で第２色ゾーン１１６、第３の色ゾーン１１８、及び第４の色ゾーン１２０は基材上に印刷される。しかし前述したように、すべての色ゾーンを基材上に印刷しても良い。以下、より詳細に述べるように、色ゾーンは、異なるコントラストレベルを有している。より詳細には、第４の色ゾーン１２０は第３の色ゾーン１１８よりも暗く、第３の色ゾーン１１８は第２の色ゾーン１１６よりも暗く、第２の色ゾーン１１６は第１の色ゾーン１１４よりも暗い。ゾーン間の異なるコントラストレベルによって、マクロ単位に、比較的明るい第１の色ゾーン１１４上で光が明るく輝いて比較的暗い第４の色ゾーン１２０上に影が落とされる外観が与えられる。第２の色ゾーン１１６及び第３の色ゾーン１１８によって、第１の色ゾーン１１４と第４の色ゾーン１２０との間の比較的滑らかな遷移が実現されている。明るい領域及び暗い斜線領域の外観によって、各マクロ単位に３次元性の知覚外観が与えられている。そしてまた、基材上にパターンに並べられた複数のマクロ単位によって、基材表面に３次元性の知覚外観が与えられている。
【００４６】
前述したように、色ゾーン間のコントラストレベルは変化しても良い。以下、どのように色ゾーン間のコントラストレベルを定量化できるのかについて説明する。特に、マクロ単位のゾーン間のコントラストレベルは、ＣＩＥＬＡＢ色スケールに基づいてＬ＊値で規定する。ＣＩＥＬＡＢは、人間の目に見える色を記述するために用いられる従来の色モデルである。図３は、ＣＩＥＬＡＢ色スケールと共に用いられる３つの軸（それぞれ、ある特定の色のＬ＊、ａ＊、及びｂ＊値に対する）の図である。ＣＩＥＬＡＢ色スケールに従って色を規定した場合、Ｌ＊は明るさを表し（０＝黒色、１００＝白色）、ａ＊及びｂ＊は独立にそれぞれ２つの色軸を表し、ａ＊は赤色／緑色軸（＋ａ＝赤色、−ａ＝緑色）を表し、ｂ＊は黄色／青色軸（＋ｂ＝黄色、−ｂ＝青色）を表す。Ｌ＊に対する最大値は１００であり、これは完全拡散反射面を表し、Ｌ＊に対する最小値はゼロであり、これは黒色を表す。ａ＊及びｂ＊軸には、特定の数値限定はない。ＣＩＥＬＡＢ色スケールは、概略的な均一の色スケールであり、色空間内でプロットされた点の差は、プロットされた色の間の視覚的な差に対応する。第１の色に対するＬ＊、ａ＊、及びｂ＊値（すなわち、Ｌ１、ａ１、ｂ１）及び第２の色に対するＬ＊、ａ＊、及びｂ＊値（すなわち、Ｌ２、ａ２、ｂ２）に基づいて、色の差（すなわち、ΔＥ）を以下の式を用いて計算することができる。
ΔＥ＝（ΔＬ＊２＋Δａ＊２＋Δｂ＊１／２）１／２
ここで、ΔＬ＊＝Ｌ１−Ｌ２
Δａ＊＝ａ１−ａ２  及び
Δｂ＊＝ｂ１−ｂ２
【００４７】
本明細書で説明するマクロ単位の色ゾーン間のコントラストレベルは、Δａ＊及びΔｂ＊の値に構わずにΔＬ＊によって規定しても良いことを理解されたい。こうして、本開示によるパターン実施形態は、異なるΔａ＊及びΔｂ＊値を有していても良い。いくつかの実施形態においては、印刷ゾーン及び基材の色はａ＊及びｂ＊値がほぼ同じであっても良く、Δａ＊及びΔｂ＊は比較的低い値である（例えば、Δａ＊＝±５、及びΔｂ＊＝±５である）。このような実施形態においては、個々のゾーンだけでなく基材の色の差を、色のＬ＊値の差（すなわち、ΔＬ＊）によって見積もることもできる。他の実施形態においては、ａ＊＝ｂ＊＝０であり、Ｌ＊軸は、黒色から白色までのグレーの無彩色スケールを表わす。色ゾーンに対するＬ＊値は、種々の仕方で求めても良い。例えば、色ゾーンのＬ＊値を、比較的知られているＬ＊値のインクを用いて求めても良い。あるいは、マクロ単位上のＬ＊値を、パターンが形成されるときに生成される電子ファイルから求めても良い。このような場合、Ｌ＊値を、選択された領域のＬ＊値を与えることができるソフトウェアが備わったコンピュータを用いて得ても良い。このようなソフトウェアの非限定的な例は、アドビ・フォトショップ（Adobe Photoshop）（登録商標）であり得る。別の実施形態においては、マクロ単位上の種々の色ゾーンのＬ＊値を、印刷された基材から直接測定することができる。以下に、色ゾーンのＬ＊値を測定するための手順を示す。
【００４８】
マクロ単位に所望の知覚３次元外観を与えるために、色ゾーン間のΔＬ＊値に制約がある場合があることを理解されたい。例えば、マクロ単位の最も暗い色ゾーンと最も明るい色ゾーンとの間のΔＬ＊値が小さすぎる場合、人間の目が、最も明るいゾーンと最も暗い色ゾーンとの間だけでなくそれらの間の任意の色ゾーン間の異なるコントラストレベルを識別することは比較的難しい。こうして、マクロ単位は、わずかなコントラスト遷移もない１つの色のように見える場合があり、したがって、３次元であるとは人に知覚されない場合がある。当業者であれば理解するように、基材によって、比較的高いＬ＊値（すなわち、比較的明るい）の背景色が規定されるとき、また背景色とマクロ単位の最も暗い色ゾーンとの間のΔＬ＊値が小さすぎる場合には、マクロ単位は、観察者によって識別可能でない場合がある。また、基材によって、比較的低いＬ＊値（すなわち、比較的暗い）の背景色が規定されるとき、また背景色とマクロ単位の最も明るい色ゾーンとの間のΔＬ＊値が小さすぎる場合には、結果として生じるマクロ単位は、観察者によって識別可能でない場合があることも理解される。別の例では、最も高いＬ＊値を有するゾーン（すなわち、最も明るいゾーン）から比較的より暗い隣接する色ゾーンへ遷移するときには、２つの色ゾーン間のΔＬ＊値が非常に大きくて、２つの色ゾーン間のコントラストレベルに滑らかなコントラスト遷移が生じ得ない場合がある。その結果、マクロ単位は３次元とは知覚されない場合がある。
【００４９】
以下のガイドラインに、各マクロ単位が３つの色ゾーンを有するパターン実施形態におけるゾーン間のΔＬ＊の制限を示す。このようなパターン実施形態は、Ｌ１のＬ＊値を伴う第１の色ゾーンと、Ｌ２のＬ＊を伴う第２の色ゾーンと、Ｌ３のＬ＊値を伴う第３の色ゾーンとを有していても良い（尚、Ｌ１＞Ｌ２＞Ｌ３）。このようなパターン実施形態においては、Ｌ１とＬ３との間の差は３以上でなければならず、一方で、Ｌ１とＬ２との間の差は２以上かつ１０以下でなければならない。言い換えれば、３以下の色ゾーンを伴うマクロ単位を有するパターン実施形態が、Ｌ１、Ｌ２、及びＬ３（Ｌ１＞Ｌ２＞Ｌ３）のＬ＊値を規定する場合、Ｌ＊に対する以下の制限を適用する場合がある。
３≦（Ｌ１−Ｌ３）  及び
２≦（Ｌ１−Ｌ２）≦１０
【００５０】
以下のガイドラインに、各マクロ単位が、最も高いＬ＊値（最も明るい）から最も低いＬ＊（最も暗い）まで次第に変動する３つを超える隣接する色ゾーンを有するパターン実施形態におけるゾーン間のΔＬ＊の制限を示す。このような実施形態においては、最も明るいゾーンと２番目に暗いゾーンとの間のΔＬ＊値は、２〜１０（２と１０を含む）であっても良い。以後の隣接するゾーン間のΔＬ＊は、少なくとも２（２を含む）であっても良い。言い換えれば、Ｎ個の色ゾーン（Ｎは整数）を伴うマクロ単位を有するパターン実施形態であって、Ｎ＞３であり、ゾーンによって、Ｌ１、Ｌ２、Ｌ３、ＬＮのＬ＊値が規定される場合（ここで、Ｌ１＞Ｌ２＞Ｌ３＞…＞ＬＮ）、Ｌ＊に対する以下の制限を適用する場合がある。
２≦（Ｌ１−Ｌ２）≦１０
２≦（Ｌ２−Ｌ３）  及び
：
２≦（ＬＮ−１−ＬＮ）
【００５１】
一例では、マクロ単位は４つの色ゾーンを有している（例えば、Ｌ１のＬ＊値を伴う第１の色ゾーン、Ｌ２のＬ＊を伴う第２の色ゾーン、Ｌ３のＬ＊を伴う第３の色ゾーン、及びＬ４のＬ＊値を伴う第４の色ゾーン、及びＬ１＞Ｌ２＞Ｌ３＞Ｌ４）。このようなパターン実施形態においては、Ｌ１とＬ２との間の差は２以上かつ１０以下であっても良く、一方で、Ｌ２とＬ３との間の差は２以上であっても良い。加えて、Ｌ３とＬ４との間の差は、２以上であっても良い。
【００５２】
種々の基材特徴は、印刷された色ゾーンのＬ＊値に影響を及ぼす場合があることを認識すべきである。例えば、基材の表面上にパターンを印刷したときに、基材厚さ及び／又は基材色によって、印刷された色ゾーンを形成するために用いられるインクのＬ＊値が「希釈される」場合がある。このような例では、比較的より高いＬ＊値を伴うインクを用いて、色ゾーン間のＬ＊値に対するすでに開示した制限の範囲に入る色ゾーンを有するパターンを形成しても良い。
【００５３】
前述したように、パターンを構成するマクロ単位は、少なくとも３つの色ゾーンを有する。マクロ単位は、後述するように３つを超える色ゾーンを有していても良いことを認識すべきである。いくつかの実施形態においては、すべての色ゾーンを基材上に印刷する。他の実施形態においては、基材背景色によって色ゾーンの１つを規定し、基材上に印刷される色によってゾーンの残りの部分を規定する。色ゾーンのＬ＊値は、比較的高い値（最も明るい）から比較的低い値（最も暗い）までの範囲である。前述したように、色ゾーンは、異なる形状及びサイズを有して、異なる形状及びサイズのマクロ単位を規定しても良い。図４〜６に、パターン１００を基材上にどのように印刷することが可能か、一例を示す。図４におけるパターンは、一連の「＋」形状によって概略的に表されている。本説明に対する基準系を与えるために、図４において、基材１０４を長手軸及び横軸を伴って示す。長手軸は、基材の機械方向（すなわち、ＭＤ）と言われる場合があるものにも対応し、横軸は、基材の横断方向（すなわち、ＣＤ）と言われる場合があるものに対応する。図４〜６に示すように、印刷装置１２２によって各マクロ単位の所望の印刷着色ゾーンを印刷しながら、基材１０４へのパターン１００の印刷を、印刷装置１２２に対して示される長手方向（例えば前述で参照される方向）に基材を移動させる。印刷しながら、基材に対して印刷装置を移動させることが可能なことを理解されたい。例えば、各マクロ単位の所望の印刷着色ゾーンを印刷しながら、基材に対する横方向において印刷装を前後に移動することが可能である。
【００５４】
多くのパターン実施形態において多くのマクロ単位形状を用いることができ、したがって多くのマクロ単位サイズ又は領域を用いても良いことを認識すべきである。本開示では、マクロ単位の基本寸法（Ｕｐｄと言う）によってマクロ単位サイズを特徴付け、このマクロ単位の基本寸法は、以下の説明によって定義する。図７は、繰り返しパターン１００からの例示的な単一のマクロ単位１０６の詳細な拡大図である。図７に示すマクロ単位の実基本寸法は変化する場合があることを理解されたい。図７に示すように、マクロ単位１０６は、第１の長手方向の印刷点１２４と第２の長手方向の印刷点１２６とを含み、それらの間の距離（すなわち、Ｄｌｏｎｇ）を規定している。マクロ単位１０６のうち、距離（すなわち、Ｄｌｏｎｇ）の外側の長手方向に印刷される部分はない。またマクロ単位１０６は、第１の横方向の印刷点１２８と第２の横方向の印刷点１３０とを含み、それらの間の距離（すなわち、Ｄｌａｔ）を規定している。マクロ単位１０６のうち、距離（すなわち、Ｄｌａｔ）の外側の横方向に印刷される部分はない。言い換えれば、距離Ｄｌｏｎｇは、長手方向におけるマクロ単位の印刷ゾーンの最大の長さを表しており、距離Ｄｌａｔは、横方向におけるマクロ単位の印刷ゾーンの最大の長さを表している。こうして、実基本寸法（すなわち、Ｕｐｄ）を、Ｄｌｏｎｇ及びＤｌａｔの最小値であると定義しても良い。例えば、マクロ単位のＤｌｏｎｇが４ｍｍであり、Ｄｌａｔが１．５ｍｍである場合、マクロ単位の基本寸法は１．５ｍｍであると言う。Ｄｌｏｎｇ及びＤｌａｔが等しいときには、基本寸法は、Ｄｌｏｎｇ及びＤｌａｔのいずれかによって表される距離として定義しても良い。例えば、マクロ単位のＤｌｏｎｇが１．５ｍｍであり、Ｄｌａｔが１．５ｍｍである場合、基本寸法は１．５ｍｍであると言う。一実施形態においては、マクロ単位の実基本寸法Ｕｐｄは少なくとも１．５ｍｍである。
【００５５】
前述したように、知覚３次元外観を示すためにマクロ単位が明暗の色ゾーン間の比較的滑らかな遷移を示すために、マクロ単位の実サイズと、人がマクロ単位を見る距離と、各マクロ単位における色ゾーンの数との間には関係がある。何ら理論に拘束されることを意図するものではないが、人が比較的近い視距離（すなわち、３０ｃｍを下回る）から繰り返しパターンを見たときには、この人の目はマクロ単位の具体的な詳細（例えば、個々の色ゾーン）をより容易に検出することができるものと考えられる。また同じ比較的近い視距離から、人の目が、比較的大きなマクロ単位と比べて比較的小さいマクロ単位を含む繰り返しパターンの具体的な詳細に気が付くことは、容易にはできない場合があることも考えられる。こうして、明暗のゾーン間の滑らかな遷移を得るためには、比較的近い距離から見たときに、繰り返しパターンを構成する比較的小さいマクロ単位は、比較的大きなマクロ単位が必要とする場合があるほどの多くの色ゾーンを必要としない場合があることも考えられる。加えて、人が比較的遠い視距離（すなわち、３０ｃｍを超える）から繰り返しパターンを見たときには、人の目が、マクロ単位の具体的な詳細（例えば、個々の色ゾーン）に、容易に気が付かない場合があることが考えられる。加えて、比較的遠い視距離から、人の目が、比較的大きなマクロ単位の具体的な詳細に、比較的近い視距離から気が付いたであろう場合と同じように容易には気が付かない場合がある。こうして、明暗のゾーン間の滑らかな遷移を得るためには、比較的遠い距離から見たときに、比較的大きなマクロ単位は多くの色ゾーンを必要としない場合があることが考えられる。
【００５６】
前述の説明は、種々の距離から図８及び９に示す複数のマクロ単位を見ることによって例示しても良い。参考のために、マクロ単位を行及び列で並べる。行は、各マクロ単位におけるゾーンの数に対応して、３〜７の範囲であり、列は、マクロ単位の実基本寸法の変動に対応して、比較的大きな値（左の列）〜比較的小さい値（右の列）の範囲である。人とデバイス又は物体との間の「相互作用の距離」に応じて、この「相互作用の距離」からマクロ単位が３次元と知覚されるように、繰り返しパターンのマクロ単位を規定するパラメーターのいくつかを調整しても良いことが考えられる。当然のことながら、人々は、種々の距離から種々のデバイス又は物体と「相互作用」し、結果としてそれらを見る。一例として、生物表面に対する吸収性物品のユーザーは、２０ｃｍ〜１ｍ（物品をそのパッケージから取り出す〜実際に用いる）の距離からこの物品を見る（並びにこの物品と相互に作用する）場合がある。人が、店舗の通路を歩いて棚に配置された製品を見る場合には、もっと長い距離からこれらの製品を見る場合がある。図８及び９は、これらのパラメーター（例えば色ゾーンの数、マクロ単位の実基本寸法、並びにマクロ単位の知覚される基本寸法）と知覚３次元効果との間の関係を、読者が理解するのに役立ち得ると考える。図８及び９に示すマクロ単位１０６は、単に説明を目的としたものであることに注意されたい。前述した説明を踏まえて、推定された相互作用の距離に基づいてどのように多くのゾーンをマクロ単位に含めても良いかを決めることが望ましい場合がある。推定された相互作用の距離は、特定の基材をどのように、またどこに塗布して良いのかなどの多くの要因に基づき得る。例えば、これまでのところ開示したパターンを、介護者が比較的近い距離から見ることが可能なおむつの外部カバーに適用する場合、比較的小さい相互作用の距離を推定することが望ましい場合がある。他の応用例では、例えば印刷パターンをパッケージに適用して、店舗の棚に表示されるパッケージの外表面上にそれが見えるようにする場合には、比較的大きな相互作用の距離を推定することが望ましい場合がある。
【００５７】
以下のガイドラインを用いて、マクロ単位実サイズ及び相互作用の距離に基づいて各マクロ単位に対する色ゾーンの数を求めることができる。前述したように、マクロ単位サイズは、マクロ単位の実基本寸法Ｕｐｄを特徴とすることができる。特に、下表１に、実基本寸法（すなわち、Ｕｐｄ）に基づいたマクロ単位当たりに必要となるゾーンの数（すなわち、Ｎｚｏｎｅ）に対するガイドラインを与える。なお相互作用の距離（すなわち、Ｉｄｉｓｔ）は３０ｃｍを想定している。
【表１】
2010510861.tif 000003
【００５８】
上表１を用いて、３０ｃｍの距離から見たときに、実基本寸法が１．５ｍｍであるマクロ単位、少なくとも３つの色ゾーンを必要とする場合がある。別の例では、３０ｃｍの距離から見たときに、実基本寸法が５ｍｍであるマクロ単位は、少なくとも５つの色ゾーンを必要とする場合がある。表１に与えた最大のＵｐｄ値は２８ｍｍであるが、もっと大きいＵｐｄ値を実現しても良く、したがって、更なるゾーンを必要としても良いことを理解されたい。
【００５９】
前述したように、相互作用の距離が大きくなるにつれて、特定のマクロ単位の基本寸法に対して必要となるゾーンの数が減る。上表１に与えたＮｚｏｎｅ値は、３０ｃｍの相互作用の距離（Ｉｄｉｓｔ）に基づいている。必要となるゾーンの数と相互作用の距離との間に逆転した関係が存在することを想定して、他のＮｚｏｎｅ値を、いろいろな相互作用の距離に対して計算しても良い。言い換えれば、以下の等式によって表されるように、表１に示したＮｚｏｎｅ値に、３０ｃｍと所望の相互作用の距離との比を乗じて、所望の相互作用の距離に対する色ゾーンの数を調整することが、Ｎｚｏｎｅ値が３以上である限りは可能である。
Ｎｚｏｎｅ＝（表１のＮｚｏｎｅ）＊（３０ｃｍ）／（Ｉｄｉｓｔ）、及びＮｚｏｎｅ≧３
【００６０】
特定のパターンに対する相互作用の距離が６０ｃｍである例においては、実基本寸法（Ｕｐｄ）が１１ｍｍであるマクロ単位に対して必要となるゾーンの数（Ｎｚｏｎｅ）を、以下のように計算することができる。
Ｎｚｏｎｅ＝（６ゾーン）＊（３０ｃｍ）／（６０ｃｍ）＝３ゾーン
【００６１】
こうして、６０ｃｍの距離から見たときに、実基本寸法が１１ｍｍであるマクロ単位は、知覚３次元効果を実現するのに３ゾーンのみを必要とする場合がある。特定のパターンに対する相互作用の距離が６０ｃｍである別の例においては、基本寸法が２．５ｍｍのマクロ単位に対して必要となるゾーンの数（Ｎｚｏｎｅ）を、以下のように計算することができる。
Ｎｚｏｎｅ＝（４ゾーン）＊（３０ｃｍ）／（６０ｃｍ）＝２ゾーン
【００６２】
しかし、上述したように、Ｎｚｏｎｅは３以上が望ましい場合がある。こうして、６０ｃｍの距離から見たときに、マクロ単位の実基本寸法が２．５ｍｍであるパターンも、少なくとも３つの色ゾーンを必要とする場合がある。
【００６３】
前述したように、パターンの隣接するマクロ単位間の距離は、基材表面が知覚３次元及び／又は布地様外観を示すか否かについて、影響を及ぼす場合がある。例えば、隣接するマクロ単位間の距離が大きすぎる場合には、人間の目は、全体としてのパターンではなく個々のマクロ単位に集中しがちである場合があり、したがって、マクロ単位及び／又は基材表面は、知覚３次元外観を示さない場合がある。パターンの隣接するマクロ単位間の距離（Ｕｄｉｓｔ）を、隣接するマクロ単位の周りに描かれた印刷点の矩形又は正方形間の最短間隔を測定することによって推定しても良い。図１０に示すように、各マクロ単位１０６は、印刷点矩形１３２によって包囲されている。各印刷点矩形１３２は、２本の長手方向に延伸する辺（Ｓｌｏｎｇ１、Ｓｌｏｎｇ２）と２本の横方向に延伸する辺（Ｓｌａｔ１、Ｓｌａｔ２）とによって規定される。長手方向に延伸する辺（Ｓｌｏｎｇ１、Ｓｌｏｎｇ２）はまた、マクロ単位の第１の横方向の印刷点１２８及び第２の横方向の印刷点１３０に、それぞれ接線的に関係づけられる。同様に、横方向に延伸する辺（Ｓｌｏｎｇ１、Ｓｌｏｎｇ２）はまた、マクロ単位の第１の長手方向の印刷点及び第２の長手方向の印刷点に、それぞれ接線的に関係づけられる。
【００６４】
繰り返しパターンにおける隣接するマクロ単位１０６間の最大距離の決定を補助するために、図１１〜１３に例示する以下の手順及び実施例について述べる。パターン１００における隣接するマクロ単位１０６間の最大距離を決定するために、パターンが配置された基材１０４を、理論上の矩形又は正方形１３４内に配置する。この理論上の矩形又は正方形１３４は、基材１０４の印刷される周縁部を含むできるだけ小さい矩形又は正方形を規定しなければならない。次に矩形の辺の実長を測定して、矩形の最も長い辺の長さを求める。次に、隣接するマクロ単位間の最大距離を、アスペクト比にこの理論上の矩形のより長い辺の実長を乗じることによって計算する。一例として、基材の印刷される周縁部によって、正方形に収まる形状が規定される場合には、正方形の任意の辺の実長を用いても良い。この説明を行なうために、アスペクト比を０．１とすることができる。以下に与える実施例において、種々の形状を有する基材か又は基材の形状以外の形状を有する印刷された周縁部かを伴う前述の手順を用いて、隣接するマクロ単位間の最大距離をどのように計算して良いかを例示する。
【００６５】
図１１に、４辺を有する矩形形状を規定する外側周囲を有する基材１０４の実施形態を例示する。マクロ単位の繰り返しパターン１００（「＋」形状の並びによって概略的に表される）を、実質的に基材全体１０４に渡って印刷する。基材の外側周囲によって矩形形状が規定されているため、基材全体を含むことができる、可能な限り小さい理論上の矩形又は正方形１３４が、基材の外側周囲のサイズ及び形状にマッチする。前述の手順を用いて、理論上の矩形１３４の辺の実長を測定して、最も長い辺の実長を求める。次に、最も長い辺の実長に０．１を乗じて、マクロ単位間の最大距離を計算する。一例では、矩形には、実長が１０ｃｍである２辺と実長が１５ｃｍである２辺とが含まれる。こうして、直接隣接する連続したマクロ単位間の最大距離を、１５ｃｍに０．１を乗じることによって計算する（１．５ｃｍに相当する）。
【００６６】
図１２に、円形状を規定する外側周囲を有する繰り返しパターン１００（「＋」形状の並びによって概略的に表される）が印刷された基材１０４の別の実施形態を例示する。基材の外側周囲によって円形状が規定されているため、当業者であれば理解するように、正方形には、円の直径の実長にマッチする辺の実長を有する基材を含むことができる。前述の手順を用いて、理論上の正方形１３４の辺の実長を測定する。次に辺の実長に０．１を乗じて、マクロ単位間の最大距離を計算することができる。一例では、正方形には、実長が５ｃｍである４辺が含まれる。こうして、マクロ単位間の許容される最大距離を、５ｃｍに０．１を乗じることによって計算する（０．５ｃｍに相当する）。
【００６７】
図１３に、３辺を有する三角形状を規定する外側周囲を有する基材１０４の更に別の実施形態を例示する。次に基材１０４を、可能な限り小さい理論上の矩形１３４内に配置する。前述の手順を用いて、矩形の辺の実長１３４を測定して、最も長い辺の実長を求める。それから、この場合もやはり、最も長い辺の実長に０．１を乗じて、マクロ単位間の最大距離を計算する。一例では、矩形には、長さが４ｃｍの２辺と長さが８ｃｍの２辺が含まれる。こうして、マクロ単位間の許容される最大値を、８ｃｍに０．１を乗じることによって計算する（０．８ｃｍに相当する）。
【００６８】
前述の説明は、パターンの直接隣接する連続したマクロ単位間の最大距離を求めることに関しているが、いくつかのパターン実施形態においては、隣接するマクロ単位は互いに接触していても良いことを理解されたい。パターン内の隣接する連続したマクロ単位間の実際の距離だけでなく、基材表面上に現れるマクロ単位の数も、基材表面が知覚３次元であり得るか否かについて影響を及ぼす場合がある。何ら特定の理論に拘束されることを意図するものではないが、いくつかの実施形態においては、目に見える少なくとも１０、２０、又は５０個のマクロ単位を基材上に有することが好ましい場合がある。
【００６９】
種々の実施形態のパターンを、マクロ単位及び／又は基材表面に知覚３次元外観を表示させる種々のタイプの基材表面上に配置しても良いことを理解されたい。前述したように、基材表面の知覚３次元外観を織布内の糸を示す突出部及びくぼみと類似させて、基材表面に布地様外観を与えるようにすることができる。パターンを、基材の表面上に色ゾーンを印刷することによって形成する。前述したように、パターンの実施形態には、複数の繰り返し形状又はマクロ単位（各マクロ単位は３つ以上の色ゾーンを有する）が含まれる。いくつかの実施形態においては、印刷色によってすべての色ゾーンを規定する。他の実施形態においては、基材色によって１つの色ゾーンを規定しても良い。前述の説明に基づいて、種々のガイドラインを適用してパターンパラメーターを選択し、パターンが配置される３次元の基材表面の知覚外観を強調しても良い。特に、推定された相互作用の距離、マクロ単位当たりの色ゾーンの数、色ゾーン間のコントラスト度合い（すなわち、ΔＬ＊）、マクロ単位サイズ（すなわち、本明細書において実基本寸法によって特徴付けられる）、及び隣接するマクロ単位間の距離を前述のガイドラインに基づいて選択して、基材の知覚３次元外観を強調しても良い。
【００７０】
付加的なパターン特徴によって、基材表面の知覚３次元外観を更に強調しても良いことが認識されるべきである。例えば、いくつかのパターンに、実サイズ、形状、最大距離、Ｌ＊、ａ＊、及び／又はｂ＊値が互いにわずかに異なるマクロ単位によって形成される異常性又はある程度のランダム性があっても良い。哲学理論に拘束されることを意図するものではないが、繰り返し形状に「完全」性が見出されることは事実上はめったにないと考えられる。言い換えれば、人間の脳は、完全な繰り返しパターンを、「自然」なものではなくて「人工的」なものに分類すると考えられる。その結果、基材が繰り返しパターンを有し、そのパターンには複数のマクロ単位が、少なくとも一部のマクロ単位が互いにわずかに異なるように含まれている場合には、人はその基材を、３次元というだけでなく、より自然であると知覚するものと考えられる。一実施形態においては、マクロ単位上に存在するこのわずかな程度のランダム性又は異常性が、織布の不完全性（例えば特定の領域に、より大きい糸又はより小さい糸がある結果）と類似していても良い。場合によっては、パターン異常を、基材上に意図的に印刷しても良い。別の例では、基材が、異なる実サイズ及び／又は形状のマクロ単位を有する複数のパターンを含んでいても良い。「ランダムパターン」又は「ランダムな繰り返しパターン」によって、複数のマクロ単位を有するパターンであって、パターンを形成する少なくとも一部のマクロ単位（例えば、少なくとも２個、少なくとも５個、少なくとも１０個、又はすべてのマクロ単位でさえある）が、マクロ単位の実基本寸法、形状、マクロ単位間の最大距離、マクロ単位の色ゾーンのＬ＊、ａ＊、及び／又はｂ＊値のうちの少なくとも１つから選択されるパラメーターにおいて互いに異なっているパターンを意味する。
【００７１】
一実施形態においては、基材が、知覚３次元パターンと基材上に印刷される少なくとも文字グラフィックスとを含んでいても良い。一実施形態においては、文字グラフィックスの実基本寸法は、パターンを構成するマクロ単位の実基本寸法よりも少なくとも２倍、５倍、又は１０倍大きい。何ら理論に拘束されることを意図するものではないが、繰り返しパターン内にこのような文字グラフィックスが存在することによって、観察者が（意識して又は無意識に）パターンを知覚することができる一方で、観察者の注意が文字グラフィックスに向けられるものと考えられる。ある意味では、文字グラフィックスは観察者の注意を「そらし」て、観察者が、基材上のパターンの存在を認識する一方で、繰り返しパターンに細心の注意を払わなくても良いことに役立つ。
【００７２】
いくつかの実施形態においては、印刷された基材を付加的な基材で覆って、全体的な外観を向上させても良い。例えば、印刷された基材を、不透明度が８０％を下回る付加的な基材で覆っても良く、付加的な基材によって、隣接する色ゾーン間の遷移が緩和される。付加的な基材によって、積層体がより柔らかい外観を示すと共に、より柔らかい感触をもたらしても良く、その結果、視覚及び触覚の刺激が組み合わさっても良い。
【００７３】
基材表面の知覚３次元外観を更に強調する場合がある別の特徴として、別のパターンを形成するように結合可能であるように見える２つ以上のパターンを含めても良い。加えて、基材の物理特性（例えば折り目）を印刷パターンと組み合わせて、基材表面の知覚３次元外観を強調しても良い。別のシナリオにおいては、基材は、異なる３次元特徴（例えば異なる質感）を表わす複数のパターンを含んでいても良い。一例では、基材に、異なる衣類様の特徴（畝織りカフ、カラー、及び／又は織られたエッジ又は継ぎ目など）を表す異なるパターンを用いて印刷しても良い。
【００７４】
パターンが印刷された基材を用いて所望の知覚３次元外観を与える場合がある多くの異なる製品について、前述した。具体的な説明を行なう目的で、図１４に、前述の開示によるパターン１００が配置された１又は複数の基材を含む場合があるおむつ１３８の形態の使い捨て吸収性物品１３６の一例を示す。特に、図１４は、シャーシ１４０を含むおむつ１３８の一実施形態の平面図であって、シャーシ１４０は平坦な、折り畳まれていない状態で示され、着用者に面するおむつ１３８の部分が観察者の方を向いている図である。図１４において、シャーシ構造の一部を切り取って、おむつの実施形態の構造及びおむつの実施形態に含まれている場合がある種々の特徴をより明瞭に示している。
【００７５】
図１４に示すように、おむつ１３８はシャーシ１４０を含んでおり、シャーシ１４０は、第１の耳部１４２、第２の耳部１４４、第３の耳部１４６、及び第４の耳部１４８を有している。現在の説明に対する基準系を与えるために、シャーシに長手軸１５０及び横軸１５２をを付して示す。シャーシ１４０は、第１の腰部領域１５４、第２の腰部領域１５６、及び第１の腰部領域と第２の腰部領域との中間に配置される股領域１５８を有するとして示している。おむつの周囲は、一対の長手方向に延伸する側端部１６０、１６２、第１の腰部領域１５４に隣接して横方向に延伸する第１の外縁１６４、及び第２の腰部領域１５６に隣接して横方向に延伸する第２の外縁１６６によって規定されている。
【００７６】
図１４に示すように、シャーシ１４０は内部の身体側表面１６８と外部の衣類側表面１７０とを含む。図１４において、シャーシ構造の一部を切り取って、おむつの構造及びおむつに含まれている場合がある種々の特徴をより明瞭に示している。図１４に示すように、おむつ１３８のシャーシ１４０は、トップシート１７４及びバックシート１７６を含む外部の被覆層１７２を含んでいても良い。吸収性コア１７８が、トップシート１７４の一部とバックシート１７６との間に配置されていても良い。後でより詳細に述べるように、領域のうちの任意の１又は複数が、伸縮性であっても良く、また本明細書で説明したようにエラストマー材料又は積層体を含んでいても良い。こうして、おむつ１３８は、装着したらすぐに具体的な着用者の解剖学的構造に適合するように、また着用中に着用者の解剖学的構造との調整を維持するように構成することが可能である。
【００７７】
場合によっては、図１４に示したようなおむつ、すなわちバックシート、トップシート、及び／又は３次元又は布地様外観を示すパターンが配置されたサイドパネル若しくは耳部を含むおむつを提供することが望ましい場合がある。このような構成要素に伸縮性があるときには、収縮状態又は伸長状態において３次元的に見えるようにパターンを印刷しても良い。図１５〜１８に、種々のおむつ構成要素、例えばバックシート、トップシート、吸収性コア成分、締着具要素、及び／又は耳部若しくはサイドパネルに適用しても良いパターンの種々の例を示す。
【００７８】
以下に、種々のおむつ及びシャーシ実施形態を伴う種々の構造的な変形のいくつかについて説明する。
【００７９】
前述したように、おむつ１３８のシャーシ１４０は、例えば図１４に示すバックシート１７６を含んでいても良い。いくつかの実施形態においては、バックシートは、シャーシ内に吸収されて保持される滲出物が、おむつに接触し得る物品、例えばベッドシーツ及び下着などを汚すことがないように構成されている。バックシートのいくつかの実施形態は流体透過性であっても良く、一方で、他の実施形態は、液体（例えば、尿）に対して不透過性であっても良く、薄いプラスチックフィルムを含んでいる。いくつかの実施形態においては、プラスチックフィルムには、厚さが約０．０１２ｍｍ（０．５ミル）〜約０．０５１ｍｍ（２．０ミル）の熱可塑性フィルムが含まれる。いくつかのバックシートフィルムには、インディアナ州テレホート（Terre Haute）のトレデガーインダストリーズ社（Tredegar Industries Inc.）によって製造され、商標名Ｘ１５３０６、Ｘ１０９６２、及びＸ１０９６４で販売されるものが含まれていても良い。適切なバックシート材として、おむつから蒸気を逃がすものの、滲出物がバックシートを通り抜けることは防ぐ通気性材料を挙げることも可能である。代表的な通気性材料としては、織布ウェブ、不織ウェブ、フィルムコーティング不織ウェブなどの複合材料、並びにエスポアール（ESPOIR）ＮＯの呼称で日本の三井東圧株式会社（Mitsui Toatsu Co.）により製造されているミクロ孔質フィルム及びエグザイア（EXXAIRE）の名称でテキサス州ベイシティー（Ｂａｙ  Ｃｉｔｙ，テキサス州）のエクソンケミカル社（EXXON Chemical Co.）により製造されているようなミクロ孔質フィルムなどの材料を挙げることができる。ポリマーブレンドを含む適した通気性複合材料は、名称ハイトレル（HYTREL）ブレンドＰ１８−３０９７として、クロペイ社（Clopay Corporation）（オハイオ州シンシナティ（Cincinnati,OH））から入手可能である。そのような通気性複合材料は、ＰＣＴ出願第ＷＯ９５／１６７４６号明細書（Ｅ．Ｉ．デュポンの名義で１９９５年６月２２日公開）及び米国特許第５，８６５，８２３号明細書（クロ（Curro）、１９９９年２月２日発行）により詳細に説明されている。なお両方とも、本明細書において参考とし
て組み入れられる。不織ウェブ及び有孔の成形フィルムを含む他の通気性バックシートが、米国特許第５，５７１，０９６号明細書（ドブルン（Dobrin）ら、１９９６年１１月５日発行）及び米国特許第６，５７３，４２３号明細書（ハーレイン（Herrlein）ら、２００３年６月３日発行）に記載され、尚、これらはすべて、本明細書において参考として組み入れられる。
【００８０】
バックシート１７６、又はその任意の部分が、１又は複数の方向に伸縮性であっても良い。一実施形態では、バックシートは構造的弾性様フィルム（「ＳＥＬＦ」）ウェブを含んでもよい。ＳＥＬＦウェブの実施形態が、以下の文献により完全に記載されている：米国特許第５，５１８，８０１号明細書、発明の名称「弾力性様の挙動を示すウェブ材料（Web Materials Exhibiting Elastic-Like Behavior）」（チャペル（Chappell）ら、１９９６年５月２１日発行）、米国特許第５，７２３，０８７号明細書、発明の名称「弾力性様の挙動を示すウェブ材料」（チャペルら、１９９８年３月３日発行）、米国特許第５，６９１，０３５号明細書、発明の名称「弾力性様の挙動を示すウェブ材料」（チャペルら、１９９７年１１月２５日発行）、米国特許第５，８９１，５４４号明細書、発明の名称「弾力性様の挙動を示すウェブ材料」（チャペルら、１９９９年４月６日発行）、米国特許第５，９１６，６６３号明細書、発明の名称「弾力性様の挙動を示すウェブ材料」（チャペルら、１９９９年６月２９日発行）、及び米国特許第６，０２７，４８３号明細書、発明の名称「弾力性様の挙動を示すウェブ材料」（チャペルら、２０００年２月２２日発行）。これらはすべて、本明細書において参考として組み入れられる。代替の実施形態では、バックシート２６は、エラストマーフィルム、発泡体、ストランド、不織布、又はこれらの材料若しくは他の好適な材料と不織布若しくは合成フィルムとの組み合わせを含んでも良い。更なる実施形態には、伸張不織材料、延伸性がある不織布と組み合わせたエラストマーフィルム、延伸性があるフィルムと組み合わせたエラストマー不織布、及び／又はそれらの組み合わせを含む、バックシートが含まれる。このようなバックシート実施形態に関する詳細は、本明細書において参考として組み入れられる以下の文献により完全に記載されている：米国非仮出願の発明の名称「吸収性物品用の２軸伸縮性外部カバー（Biaxially Stretchable Outer Cover for an Absorbent Article）」（２００６年１１月１５日に出願）、速達便番号ＥＶ９１６９３９６２５ＵＳ明細書、また代理人名簿番号１０６４３及び米国出願第１１／５９９，８２９号明細書
により更に特定される、米国非仮出願号、発明の名称「固定システムを伴う使い捨て着用可能物品（Disposable Wearable Articles with Anchoring Systems）」（２００６年１１月１５日に出願）、速達便番号ＥＶ９１６９３９６４８ＵＳ明細書、また代理人名簿番号１０６２８Ｑ及び米国出願第１１／５９９，８５１号明細書により更に特定される、米国非仮出願、発明の名称「固定されたコアアセンブリを有する吸収性物品（Absorbent Article having an Anchored Core Assembly）」（２００６年１１月１５日に出願）、速達便番号ＥＶ９１６９３９６３４ＵＳ明細書、又は更に特定される代理人名簿番号１０４３２ＭＱ明細書及び米国出願第１１／５９９，８６２号明細書。
【００８１】
バックシート１７６は、トップシート１７４、吸収性コア１７８、及び／又はおむつ１３８の他の要素と、種々の仕方で結合しても良い。例えば、バックシートを、粘着剤の均一な連続層；粘着剤の模様付き層；又は粘着剤の別個のライン、らせん、若しくはスポットからなるアレイ、と接続しても良い。一実施形態では、本明細書において参考として組み入れられる、米国特許第４，５７３，９８６号明細書の発明の名称「使い捨て排泄物閉じ込め衣類（disposable Waste-Containment Garment）」（ミネトラ（Minetola）ら、１９８６年３月４日発行）に開示されているような粘着剤の細糸の開放パターンネットワークを用いる。他の実施形態では、粘着性細糸のいくつかの線を巻いてらせん状パターンにしたものを用い、これは、米国特許第３，９１１，１７３号明細書（スプレーグジュニア（Sprague,Jr）、１９７５年１０月７日発行）に説明されている。本明細書において参考として組み入れられる、米国特許第４，７８５，９９６号明細書（ジーカー（Ziecker）ら、１９８８年１１月２２日発行）、及び米国特許第４，８４２，６６６号明細書（ウェレンニクズ（Werenicz）、１９８９年６月２７日発行）に示される装置及び方法によって例示されている。粘着剤には、Ｈ．Ｂ．フラー社（Fuller Company）（ミネソタ州セントポール（St.Paul））によって製造され、ＨＬ−１６２０及びＨＬ−１３５８−ＸＺＰとして販売されるものを含んでも良い。いくつかの実施形態においては、バックシートを、加熱接合、加圧接合、超音波接合、動的機械的接合、又は他の任意の好適な取り付け手段又はそれらの組み合わせを用いて接続する。
【００８２】
トップシート１７４は、バックシート１７６、吸収性コア１７８、及び／又はおむつ１３８の他の要素に、種々の仕方で結合しても良い。例えば、バックシート１７６をおむつ１３８の他の要素に結合することについて前述した方法で、トップシート１７４を接続しても良い。一実施形態においては、トップシート１７４及びバックシート１７６をシャーシの外縁に沿って互いに直接結合する。別の実施形態においては、トップシート及びバックシートを、互いに直接結合する箇所もあるし、互いに間接的に結合する箇所もある。他のトップシート及びバックシート接続構成が、米国仮出願第６０／８１１，７００号明細書、発明の名称「多機能閉じ込め部材を有する吸収性物品（Absorbent Article Having a Multifunctional Containment Member）」（２００６年６月７日出願）に、より詳細に記載され、尚、この文献は、本明細書において参考として組み入れられる。
【００８３】
トップシート１４０は、従順で、ソフトな感じで、及び着用者の皮膚に非刺激性となるように構成され得る。更に、すべて又は少なくとも一部のトップシート１４０を液体透過性にして、液体が容易に浸透できるようにしても良い。トップシートは、広範囲にわたる材料から製造しても良く、例えば、多孔質発泡体、網状発泡体、有孔の不織若しくはプラスチックフィルム、又は織ウェブ若しくは不織ウェブであって、天然繊維（例えば木繊維若しくは綿繊維）、合成繊維（例えば、ポリエステル若しくはポリプロピレン繊維）、若しくは天然繊維と合成繊維との組み合わせからなる織ウェブ又は不織ウェブなどである。吸収剤アセンブリに繊維が含まれる場合、繊維はスパンボンド、カード、ウェットレイド、メルトブローン、水流交絡、又は当該技術分野で知られるように別の方法で処理されていても良い。ステープル長ポリプロピレン繊維のウェブを含むトップシートの一例が、インターナショナルペーパー社（International Paper Company）（マサチューセッツ州ウォルポール（Walpole））の一部門であるベラテック社（Veratec,Inc.）によってＰ−８の呼称で製造されている。
【００８４】
成形フィルムトップシートの例が、米国特許第３，９２９，１３５号明細書の発明の名称「先細の毛管を有する吸収性構造（Absorptive Structures Having Tapered Capillaries）」（トンプソン（Thompson）、１９７５年１２月３０日発行）、米国特許第４，３２４，２４６号明細書の発明の名称「着色耐性のあるトップシートを有する使い捨て吸収性物品（Disposable Absorbent Article Having A Stain Resistant Topsheet）」（マレーン（Mullane）ら、１９８２年４月１３日発行）、米国特許第４，３４２，３１４号明細書の発明の名称「繊維様特性を示す弾性プラスチックウェブ（Resilient Plastic Web Exhibiting Fiber-Like Properties）」（ラデル（Radel）らに（１９８２年８月３日発行）、米国特許第４，４６３，０４５号明細書の発明の名称「非光沢の可視表面及び布地様触感を示す巨視的に拡張された３次元プラスチックウェブ（Macroscopically Expanded Three-Dimensional Plastic Web Exhibiting Non-Glossy Visible Surface and Cloth-Like Tactile Impression）」（アール（Ahr）ら、１９８４年７月３１日発行）、及び米国特許第５，００６，３９４号明細書の発明の名称「多層高分子フィルム（Multilayer Polymeric Film）」（ベアード（Baird）、１９９１年４月９日発行）に記載され、本明細書において参考として組み入れられる。他のトップシートが、米国特許第４，６０９，５１８号明細書及び同第４，６２９，６４３号明細書（それぞれクロら、１９８６年９月２日及び１９８６年１２月１６日発行）に従い作製することが可能で、その両方を参照により本明細書に組み込む。このような成形フィルムは、プロクター＆ギャンブル社（オハイオ州シンシナティ）から「ドライウィーブ（DRI-WEAVE）」として、またトレデガー社（Tredegar Corporation）（インディアナ州テレホート）から、「クリフ（CLIFF）−Ｔ」として販売されている。
【００８５】
いくつかの実施形態においては、吸収性コアに含まれる液体から着用者の皮膚を隔離するように、トップシート１７４を疎水性材料から形成するか又は疎水性になるように処理する。トップシートが親水性素材から作られている場合、液体がトップシートを通って更に迅速に移動するように、トップシートの少なくとも上面を処理して疎水性にするのが好ましい。これにより、身体滲出物が、トップシートを通過して引き込まれて吸収性コアに吸収されるよりも、トップシートから流出する可能性が低減する。トップシートは、これを界面活性剤で処理するか、あるいは界面活性剤をトップシートに組み入れることによって親水性を付与することが可能である。トップシートを界面活性剤で処置するための好適な方法としては、トップシート素材に界面活性剤を噴霧すること、及び前記素材を界面活性剤中に浸漬することが挙げられる。このような処理及び親水性のより詳細な説明が、本明細書において参考として組み入れられる、米国特許第４，９８８，３４４号明細書の発明の名称「多層吸収層を伴う吸収性物品（Absorbent Articles with Multiple Layer Absorbent Layers）」（レイジング（Reising）ら、１９９１年１月２９日発行）、及び米国特許第４，９８８，３４５号明細書の発明の名称「急速な捕捉吸収性コアを伴う吸収性物品（Absorbent Articles with Rapid Acquiring Absorbent Cores）」（レイジング、１９９１年１月２９日発行）に含まれている。トップシートに界面活性剤を取り入れるためのいくつかの方法のより詳細な説明を、アジズ（Aziz）らの名義の米国法定発明登録第Ｈ１６７０号明細書（１９９７年７月１日公開）に見出すことができ、これらはすべて、本明細書において参考として組み入れられる。
【００８６】
いくつかの実施形態においては、トップシート１７４は疎水性の有孔ウェブ又はフィルムを含んでいても良い。これは、製造プロセスから親水性処理工程を省き、及び／又は、例えば以下に記載するように、スコッチガード（SCOTCHGUARD）（登録商標）などのポリテトラフルオロエチレン化合物又は疎水性ローション組成物による疎水性処理をトップシートに施すことによって実施することが可能である。このような実施形態においては、開口部は、尿のような液体が著しい抵抗を伴うことなく浸透できるように、十分に大きくても良い。種々の有孔のトップシートのより詳細な説明を、本明細書において参考として組み入れられる、米国特許第５，３４２，３３８号明細書の発明の名称「低粘性糞便材料に対する使い捨て吸収性物品（Disposable Absorbent Article for Low-Viscosity Fecal Material）」（ロー（Roe）、１９９４年８月３０日発行）、米国特許第５，９４１，８６４号明細書の発明の名称「糞便収納が改善された使い捨て吸収性物品（Disposable Absorbent Article having Improved Fecal Storage）」（ロー、１９９９年８月２４日発行）、米国特許第６，０１０，４９１号明細書の発明の名称「粘稠な流体体外排泄物マネージメント物品（Viscous Fluid Bodily Waste Management Article）」（ローら、２０００年１月４日発行）、及び米国特許第６，４１４，２１５号明細書の発明の名称「低−粘性糞便材料を収納する能力を有する使い捨て吸収性物品（Disposable Absorbent Article having Capacity to Store Low-Viscosity Fecal Material）」（ロー、２００２年７月２日発行）に見出すことができる。
【００８７】
トップシート１７４の任意の部分に、ローションをコーティングしても良く、トップシートとして、例えば、本明細書に参考として組み入れられる米国特許第５，６０７，７６０号明細書の発明の名称「皮膚軟化剤及びポリオールポリエステル固定化剤を含むローショントップシートを有する使い捨て吸収性物品（Disposable Absorbent Article Having A Lotioned Topsheet Containing an Emollient and a Polyol Polyester Immobilizing Agent）」（ロー、１９９７年３月４日発行）、米国特許第５，６０９，５８７号明細書の発明の名称「液状ポリオールポリエステル皮膚軟化剤及び固定化剤を含むローショントップシートを有するおむつ（Diaper Having A Lotion Topsheet Comprising A Liquid Polyol Polyester Emollient And An Immobilizing Agent）」（ロー、１９９７年３月１１日発行）、米国特許第５，６３５，１９１号明細書の発明の名称「ポリシロキサン皮膚軟化剤を含むローショントップシートを有するおむつ（Diaper Having A Lotioned Topsheet Containing A Polysiloxane Emollient）」（ローら、１９９７年６月３日発行）、米国特許第５，６４３，５８８号明細書の発明の名称「ローショントップシートを有するおむつ（Diaper Having A Lotioned Topsheet）」（ローら、１９９７年７月１日発行）、及び米国特許第６，４９８，２８４号明細書の発明の名称「有孔最上部シート上にスキンケア組成物を伴う使い捨て吸収性物品（Disposable Absorbent Article with a Skin Care Composition on an Apertured Top Sheet）」（ロー、２００２年１２月２４日発行）に記載されるものを挙げることが可能である。ローションは、単独で又は上に記載された疎水化処理剤のような別の薬剤と組み合わせて作用することが可能である。またトップシートは、抗菌剤を含んでもいても良いし、抗菌剤で処理しても良く、そのいくつか
の例が、ＰＣＴ公開第ＷＯ９５／２４１７３号明細書の名称「臭気制御のためにトップシート中に抗菌剤を含有する吸収性物品（Absorbent Articles Containing Antibacterial Agents in the Topsheet For Odor Control）」（テレサジョンソン（Theresa Johnson）、１９９５年９月１４日公開）に開示され、この文献は本明細書において参考として組み入れられる。更に、トップシート、バックシート、又はトップシート若しくはバックシートの任意の部分には、より布に近い外観を持たせるためにエンボス加工及び／又はつや消し加工を施してもよい。
【００８８】
吸収性物品の実施形態にはまた、排泄物を受け入れて含有するためのポケット、排泄物のための空隙を提供するスペーサ、物品内での排泄物の移動を制限するためのバリア、おむつ内に堆積された排泄物質を受容して封じ込める区画若しくは空隙など、又はそれらのあらゆる組み合わせが含まれてもよい。吸収性製品に使用されるポケット及びスペーサの例が、米国特許第５，５１４，１２１号明細書の名称「排除性スペーサを有するおむつ（Diaper Having Expulsive Spacer）」（ロー（Roe）ら、１９９６年５月７日発行）、米国特許第５，１７１，２３６号明細書の名称「コアスペーサを有する使い捨て吸収性物品（Disposable Absorbent Article Having Core Spacers）」（ドレイヤー（Dreier）ら、１９９２年１２月１５日発行）、米国特許第５，３９７，３１８号明細書の名称「ポケットカフを有する吸収性物品（Absorbent Article Having A Pocket Cuff）」（ドレイヤー（Dreier）、１９９５年３月１４日発行）、米国特許第５，５４０，６７１号明細書の名称「頂き部を含むポケットカフを有する吸収性物品」（ドレイヤー（Dreier）、１９９６年７月３０日発行）、ＰＣＴ出願第ＷＯ９３／２５１７２号明細書の名称「衛生吸収性物品に使用されるスペーサ前記スペーサを有する使い捨て吸収性物品（Spacers For Use In Hygienic Absorbent Articles And Disposable Absorbent Articles Having Such Spacer）」（１９９３年１２月３日公開）、米国特許第５，３０６，２６６号明細書の名称「使い捨て吸収性物品に使用される可撓性スペーサ（Flexible Spacers For Use In Disposable Absorbent Articles）」（フリーランド（Freeland）、１９９４年４月２６日発行）に記載され、これらの文献はすべて、本明細書において参考として組み入れられる。コンパートメント又は空隙の例が、米国特許第４，９６８，３１２号明細書の発明の名称「使い捨て糞便区分おむつ（Disposable Fecal Compartmenting Diaper）」（カーン（Khan）、１９９０年１１月６日発行）、米国特許第４，９９０，１４７号明細書の発明の名称「排泄物隔離様の弾力性ライナーを伴う吸収性物品（Absorbent Article With Elastic Liner For Waste Material Isolation）」（フリーランド、１９９１年２月５日発行）、米国特許第５，６２，８４０号明細書の発明の名称「使い捨ておむつ（Disposable Diapers）」（ホルト（Holt）ら、１９９１年１１月５日発行）、米国特許第６，４８２，１９１号明細書の発明の名称「細長いスリット開口部を伴う伸縮性を持たせたトップシート（Elasticated Topsheet with an Elongate Slit Opening）」（ロー（Roe）ら、２００２年１１月１９日発行）、及び米国特許第５，２６９，７５５号明細書の発明の名称「使い捨て吸収性物品用の３等分トップシート及びこのような３等分トップシートを有する使い捨て吸収性物品（Trisection Topsheets For Disposable Absorbent Articles And Disposable Absorbent Articles Having Such Trisection Topsheets）」（フリーランド（Freeland）ら、１９９３年１２月１４日発行）に記載され、これらはすべて、本明細書において参考として組み入れられる。好適な横断方向バリアの例が、ドレイヤー（Dreier）らの名前で１９９６年９月１０日に発行された「複数の有効高さ横断方向隔壁を有する吸収性物品（Absorbent Article Having Multiple Effective Height Transverse Partition）」という名称の米国特許５，５５４，１４２号明細書、フリーランド（Freeland）らの名前で１９��４年７月７日に公開の「直立横断方向隔壁を有する吸収性物品（Absorbent Article Having An Upstanding Transverse Partition）」という名称のＰＣＴ国際公開特許ＷＯ９４／１４，３９５号の明細書、及び１９９７年８月５日にロー（Roe）らに対して発行された「角直立横断方向隔壁を有する吸収性物
品（Absorbent Article Having Angular Upstanding Transverse Partition）」という名称の米国特許第５，６５３，７０３号明細書に記載されている。上記参照の全てをこれによって本明細書に参考として組み入れる。前述した空隙、ポケット、及びバリアに加えて、又はその代わりに、吸収性物品の実施形態には、粘稠な流体体外排泄物、例えば柔らかすぎる糞便を効果的に及び効率的に受け入れ、収納し、及び／又は固定化することができる排泄物マネージメント要素を含めても良く、これは、例えば米国特許第６，０１０，４９１号明細書（ローら、２０００年１月４日発行）に記載され、尚、この文献は、本明細書において参考として組み入れる。
【００８９】
吸収性コア１７８には、一般に圧縮可能かつ快適で、着用者の皮膚に刺激を与えず、尿及び他の身体滲出物などの液体を吸収及び保持可能な吸収性材料を含めても良い。また吸収性コア１７８は、多種多様なサイズと形状（例えば、長方形、砂時計形、「Ｔ」字形、非対称形など）で製造することができる。吸収性コア２６は、使い捨ておむつ及び他の吸収性物品に一般に使用される、広範な種類の液体吸収性材料を含むことができる。一例では、吸収性コアには粉砕木材パルプ（一般的にエアフェルトと言われる）が含まれている。他の好適な吸収性材料としては、縮みセルロース詰め物；コフォームを含むメルトブローポリマー；化学的に剛化、変性又は架橋されたセルロース繊維；ティッシュラップ及びティッシュラミネートを含むティッシュ；吸収性フォーム；吸収性スポンジ；超吸収性ポリマー；吸収性ゲル材料；又は他の任意の既知の吸収性材料若しくは材料の組み合わせが挙げられる。
【００９０】
吸収性コア１７８の構成及び構造は変えても良いことを理解されたい（例えば、吸収性コア又は他の吸収剤構造は、種々のキャリパーゾーン、親水性の勾配、超吸収性の勾配、又はより低い平均密度及びより低い平均坪量捕捉ゾーンを有していても良いし、１又は複数の層又は構造を含んでも良い）。
【００９１】
代表的な吸収性構造が、４，６１０，６７８号明細書の「高密度吸収性構造物（High-Density Absorbent Structures）」（ワイズマン（Weisman）ら、１９８６年９月９日発行）、米国特許第４，６７３，４０２号明細書の「二層芯を有する吸収材物品（Absorbent Articles With Dual-Layered Cores）」（ワイズマンら、１９８７年６月１６日発行）、米国特許第４，８３４，７３５号明細書の「低密度及び低坪量の獲得帯を有する高密度吸収性部材（High Density Absorbent Members Having Lower Density and Lower Basis Weight Acquisition Zones）」（アルメニ（Alemany）ら、１９８９年５月３０日発行）、米国特許第４，８８８，２３１号明細書の「ダスティング層を有する吸収性コア（Absorbent Articles With Dual-Layered Cores）」（オーグスダッド（Angstadt）、１９８９年１２月１９日発行）、米国特許第５，１３７，５３７号明細書の「個別化されたポリカルボン酸架橋木材パルプセルロース繊維を含有する吸収性構造（Absorbent Structure Containing Indivisualized,Polycarboxylic Acid Crosslinked Wood Pulp Cellulose Fibers）」（ヘロン（Herron）ら、１９９２年８月１１日発行）、米国特許第５，１４７，３４５号明細書の「失禁管理用吸収体（High Efficiency Absorbent Articles For Incontinence Management）」（ヤング（Youn）ら、１９９２年９月１５日発行）、米国特許第５，３４２，３３８号明細書の「低粘度排泄物用使い捨て吸収性物品（Disposable Absorbent Article For Low-Viscosity Fecal Material）」（ロー（Roe）、１９９４年８月３０日発行）、米国特許第５，２６０，３４５号明細書の「水性体液の泡状吸収剤、及びこのような材料を含んだ吸収性物品（Absorbent Foam Materials For Aqueous Body Fluids and Absorbent Articles Containing Such Materials）」（ダスマライス（DesMarais）ら、１９９３年１１月９日発行）、米国特許第５，３８７，２０７号明細書の「水性体液吸収用薄型吸収発泡材（Thin-Until-Wet Absorbent Foam Materials For Aqueous Body Fluids And Process For Making Same）」（ダイアー（Dyer）ら、１９９５年２月７日発行）、米国特許第５，６５０，２２２号「非常に高い水対油比を有する高不連続相エマルジョンから製造された液体用の吸収性発泡材料（Absorbent Foam Materials For Aqueous Fluids Made From high Internal Phase Emulsions Having Very High Water-to-Oil Ratios）」（ダスマライスら、１９９７年７月２２日発行）に記載されている。
【００９２】
また吸収性コア１７８は多層状構造を有していても良い。種々のタイプの多層吸収性コアのより詳細な説明は、米国特許第５，６６９，８９４号明細書の発明の名称「良好な濡れ保全性及び比較的高い濃度のヒドロゲル形成吸収性ポリマーを有する体液用吸収性部材（Absorbent Members for Body Fluids having Good Wet Integrity and Relatively High Concentrations of Hydrogel-forming Absorbent Po）」（ゴールドマン（Goldman）ら、１９９７年９月２３日発行）、米国特許第６，４４１，２６６号明細書の発明の名称「ヒドロゲル形成吸収性ポリマーを用いた体液用吸収性部材（Absorbent Members for Body Fluids using Hydrogel-forming Absorbent Polymer）」（ダイアー（Dyer）ら、２００２年８月２６日発行）、米国特許第５，５６２，６４６号明細書の発明の名称「良好な濡れ保全性と高い多孔性を有する比較的高い濃度のヒドロゲル−形成吸収性ポリマーとを有する体液用吸収性部材（Absorbent Members for Body Fluids having Good Wet Integrity and Relatively High Concentrations of Hydrogel-forming Absorbent Polymer having High Porosity」（ゴールドマンら、１９９６年１０月１０日発行）、欧州特許第ＥＰ０５６５６０６Ｂ１号明細書（１９９５年３月８日公開）、米国特許公開第２００４／０１６２５３６Ａ１号明細書（２００４年８月１９日公開）、米国特許公開第２００４／０１６７４８６Ａ１号明細書（２００４年８月２６日公開）、及びＰＣＴ公開第ＷＯ２００６／０１５１４１号明細書（２００６年２月９日公開）に見出すことができ、これらはすべて、本明細書において参考として組み入れられる。いくつかの実施形態においては、吸収性物品は、伸縮性の吸収性コアを含んでいる。このような構成においては、吸収性コアを、シャーシの他の材料と共に長手方向及び／又は横方向に延伸するように構成しても良い。また吸収性コアを、シャーシのその他の構成要素と種々の方法で接続することができる。例えば、おむつに、「浮遊コア」構成又は「バケット」構成を含めても良く、おむつに、着用者上で物品を動かす傾向がある力を集めるように構成することが可能な固定システムを含める。またこのような固定システムは、身体の種々の部分に接触することによって、それ自体を着用者の身体に固定するように構成することもできる。このようにして、固定システムは、集めた移動力と固定から得られる保持力との平衡を保つことができる。集めた移動力と得られる保持力との平衡を保つことにより、固定システムは、少なくとも、使い捨て着用可能吸収性物品を着用者の所定の場所に保持することに役立つことができる。種々の浮遊及び／又はバケットコア構成のより詳細な説明は、米国仮出願第６０／８１１，７００号明細書の発明の名称「多機能閉じ込め部材を有する吸収性物品（Absorbent Article Having a Multifunctional Containment Member」（２００６年６月７日出願）、米国非仮出願の発明の名称「固定システムを伴う使い捨て着用可能物品（Disposable Wearable Articles with Anchoring Systems）」（２００６年１１月１５日出願）、速達便番号ＥＶ９１６９３９６４８ＵＳ、また代理人名簿番号１０６２８Ｑ及び米国出願第１１／５９９，８５１号明細書によって更に特定され、及び米国非仮出願、発明の名称「固定されたコアアセンブリを有する吸収性物品」（２００６年１１月１５日出願）、速達便番号ＥＶ９１６９３９６３４ＵＳ、また代理人名簿番号１０４３２ＭＱ及び米国出願第１１／５９９，８６２号によって更に特定され、尚、これらの文献はすべて、本明細書において参考として組み入れられる。
【００９３】
またおむつ１３８は、例えば図１４に示す少なくとも１つの弾力性ウエスト機構１８０を含んでも良く、弾力性ウエスト機構１８０は、フィッティング及び排泄物閉じ込めを改善する場合がある。弾力性ウエスト機構１８０は、弾力的に膨張及び収縮して着用者の腰部に動的に適合するように構成することが可能である。弾力性ウエスト機構１８０は、吸収性コア１７８から少なくとも長手方向に外側に延伸しても良く、またおむつ１３８の第１及び／又は第２の外縁１６４、１６６の少なくとも一部を概ね形成しても良い。加えて、弾力性ウエスト機構は横方向に延伸して耳部を含んでも良い。弾力性ウエスト機構１８０又はその任意の構成要素は、おむつに取り付けられた１又は複数の別個の要素を含み得る一方で、弾力性ウエスト機構は、おむつの他の要素、例えばバックシート１７６、トップシート１７４、又は両方のバックシート及びトップシートの両方の延長部分として構成されても良い。加えて、弾力性ウエスト機構１８０は、シャーシ１４０の外部の衣類側表面１７０、内部の身体側表面１６８、又は内部及び外部の面する表面との間に配置しても良い。
【００９４】
弾力性ウエスト機構１８０は多くの異なる形体で構成されても良く、例えば、米国特許第４，５１５，５９５号明細書、（キエビット（Kievit）ら、１９８５年５月７日発行）、米国特許第４，７１０，１８９号明細書（ラッシュ（Lasch）、１９８７年１２月１日発行）、米国特許第５，１５１，０９２号明細書（ブエル（Buell）、１９９２年９月９日発行）、及び米国特許第５，２２１，２７４号明細書（ブエル、１９９３年６月２２日発行）に記載され、これらはすべて、本明細書において参考として組み入れられる。他のウエスト機構として、ウエストキャップ機構、例えば、米国特許第５，０２６，３６４号、（ロバートソン（Robertson）、１９９１年６月２５日発行）及び米国特許第４，８１６，０２５号、（フォアマン（Foreman）、１９８９年３月２８日発行）が挙げられ。両方とも、本明細書において参考として組み入れられる。
【００９５】
図１４に示す第１の耳部１４２及び第２の耳部１４４と共に第３の耳部１４６及び第４の耳部１４８は、シャーシ１４０と一体形成されているとして例示しているが、他の実施形態では、シャーシと接続される別個の要素である耳部が含まれていても良いことが認識されるべきである。いくつかの実施形態においては、耳部は伸縮性であるように構成され、いくつかの実施形態においては、弾力的に伸縮性の耳部を有することが好ましい場合がある。後でより詳細に述べるように、耳部は、互いに及び／又はシャーシ上の他の締着具要素と取り外し可能に接続するように構成された１又は複数の締着具要素１５０を含んでも良い。伸縮性耳部のより詳細な説明は、米国特許第４，８５７，０６７号明細書の発明の名称「シャーリングを付けた耳部を有する使い捨ておむつ（Disposable Diaper Having Shirred Ears）」（ウッド（Wood）ら、１９８９年８月１５日発行）、米国特許第５，１５１，０９２号明細書（ブエルら、１９９２年９月２９日発行）、米国特許第５，６７４，２１６号（ブエルら、１９９７年１０月７日発行）、米国特許第６，６７７，２５８号明細書（キャロル（Carroll）ら、２００４年１月１３日発行）、米国特許第４，３８１，７８１号明細書（シアラファ（Sciaraffa）ら、１９８３年５月３日発行）、米国特許第５，５８０，４１１号明細書の発明の名称「吸収性物品用のサイドパネルを製造するためのゼロ・スクラップ方法（Zero Scrap Method For Manufacturing Side Panels For Absorbent Articles）」（ニース（Nease）ら、１９９６年１２月３日発行）、及び米国特許第６，００４，３０６号明細書の発明の名称「多指向性の伸張性サイドパネルを伴う吸収性物品（Absorbent Article With Multi-Directional Extensible Side Panels）」（ロブレス（Robles）ら、１９９９年１２月２１日発行）に見出すことができ、これらはすべて、本明細書において参考として組み入れられる。また耳部には、伸張ゾーン又は要素の種々の幾何学的形状及び、例えば米国特許公開第２００５／０２１５９７２Ａ１号（２００５年９月２９日公開）、及び米国特許公開第２００５／０２１５９７３Ａ１号（２００５年９月２９日公開）に述べられているものを含めても良く、尚、これらの文献はすべて、本明細書において参考として組み入れられる。
【００９６】
図１４に示すように、おむつ１３８は、液体及び他の身体滲出物の閉じ込めを改善する場合があるレッグカフ１８２を含んでいても良い。特に、弾力性のガスケッティングレッグカフは、着用者の大腿部の周囲に封止効果をもたらして漏れを防止することができる。おむつを着用したときにレッグカフが着用者の大腿部と接触して配置されても良く、その接触の程度及び接触圧力は、１つには、着用者の身体上でのおむつの向きによって決まり得ることを認識すべきである。レッグカフ１８２はおむつ１０２上に種々の仕方で配置され得る。例えば、レッグカフ１８２は、シャーシ１３８の外部の衣類側表面１７０、内部の身体側表面１６８、又は内部及び外部の側表面との間に配置しても良い。またレッグカフ３２はまた、レッグバンド、サイドフラップ、バリアカフ、又は伸縮性カフと呼んでもよい。米国特許第３，８６０，００３号明細書（本明細書に参考として組み入れられる）には、伸縮性を持たせたレッグカフ（ガスケッティングカフ）をもたらすためにサイドフラップ及び１又は複数の弾力性部材を有する収縮性の脚開口部をもたらす使い捨ておむつが記載されている。本明細書に参考として組み入れられている米国特許第４，８０８，１７８号明細書及び同第４，９０９，８０３号明細書、（アジズら、１９８９年２月２８日及び１９９０年３月２０日にそれぞれ発行）の双方に、脚領域の閉じ込めを向上させる「立ち上がった」伸縮性を持たせたフラップ（バリアカフ）を有する使い捨ておむつが記載されている。本明細書に参考として組み入れられている米国特許第４，６９５，２７８号及び同第４，７９５，４５４号（それぞれ、ローソン（Lawson）に１９８７年９月２２日発行、及び（ドラグー（Dragoo）に１９８９年１月３日発行）の双方には、ガスケッティングカフ及びバリアカフを含むデュアルカフを有する使い捨ておむつが記載されている。いくつかの実施形態では、以上に記載されたように、レッグカフのすべて又は一部分をローションで処理することが望ましい場合がある。レッグカフ以外に、おむつは、バリアカフの中心から離れて位置する１又は複数の弾力性ストランドを伴う弾力性のガスケッティングカフを含むこともできる。排泄物閉じ込めを改善するために、レッグカフを、疎水性表面コーティング、例えば米国特許公開第２００６０１８９９５６Ａ１号明細書の発明の名称「吸収性物品で用いる疎水性表面コーティングされた軽量の不織布積層体（Hydrophobic Surface Coated Light-Weight Nonwoven Laminates for Use in Absorbent Articles）」（２００６年８月２４日公開）に記載されるもので処理しても良く、尚、この文献は、本明細書において参考として組み入れられる。
【００９７】
おむつ１３８をパンツタイプおむつの形態で提供しても良いし、又は別の方法として、おむつ１３８に再密閉可能な締着装置を設けても良く、この締着装置は、着用者の所定の位置におむつを固定することに役立つように締着具要素を種々の箇所に含んでいても良い。例えば、締着具要素を、第１及び第２の耳部に配置しても良く、また第２の腰部領域に配置された１又は複数の対応する締着要素に取り外し可能に接続するように構成しても良い。
【００９８】
種々のタイプの締着要素を、おむつと共に用いても良いことを理解すべきである。一例では、締着要素は、フック＆ループ締着具、例えば３Ｍ又はベルクロインダストリーズ（Velcro Industries）から販売されるものを含む。他の例では、締着要素は、粘着剤及び／又はタップタブを含んでおり、一方で他のものは、マクロ締着具又はフック（例えば、マクロ（MACRO）又は「ボタン様」の締着具）として構成される。いくつかの代表的な締着要素及び装置が１９７４年１１月１９日にブエルに対して発行された「使い捨ておむつ用テープ締着装置（Tape Fastening System for Disposable Diaper）」という名称の米国特許第３，８４８，５９４号明細書、１９８７年５月５日にヒロツ（Hirotsu）らに対して発行された「吸収性物品」という名称の米国特許第Ｂ１  ４，６６２，８７５号明細書、１９８９年７月１１日にスクリプス（Scripps）に対して発行された「改良された締着具を有する使い捨ておむつ（Disposable Diaper Having An Improved Fastening Device）」という名称の米国特許第４，８４６，８１５号明細書、１９９０年１月１６日にネステガード（Nestegard）に対して発行された「改良されたホック締着具部分を有する使い捨ておむつ（Disposable Diaper With Improved Hook Fastener Portion）」という名称の米国特許第４，８９４，０６０号明細書、１９９０年８月７日にバトレル（Battrell）に対して発行された「感圧性接着剤締着具とその製造方法（Pressure-Sensitive Adhesive Fastener And Method of Making Same）」という名称の米国特許第４，９４６，５２７号明細書、１９９２年９月９日にブエルに対して発行された米国特許第５，１５１，０９２号明細書、及び１９９３年６月２２日にブエルに対して発行された米国特許第５，２２１，２７４号に開示され、尚、これらの文献はすべて、本明細書において参考として組み入れられる。締着装置及び／又は締着要素の更なる例が、米国特許６，２５１，０９７号明細書、同第６，４３２，０９８号明細書、２００５年９月３０日に出願された「急な開口を防ぐマクロ締着具（Anti-Pop Open Macrofasteners）」という名称の米国特許出願第１１／２４０，９４３号明細書、２００５年９月３０日に出願された「複数の嵌合配向を有する締着装置（A Fastening System Having Multiple Engagement Orientations）」という名称の米国特許出願第１１／２４０，８３８号明細書で論じられている。他の締着装置が、米国特許第５，５９５，５６７号明細書（キング（King）ら、１９９７年１月２１日発行）及び米国特許第５，６２４，４２７号明細書（バーグマン（Bergman）ら、１９９７年４月２９日発行）（両方とも発明の名称は「再締着可能な締着装置用の不織布メス型部材（Nonwoven Female Component For Refastenable Fastening Device）」）により詳細に記載されている。更に他の締着装置が、米国特許第５，７３５，８４０号明細書及び同第５，９２８，２１２号明細書（両方ともクライン（Kline）に対して発行され、発明の名称は「一体型バックシートランディングゾーンを伴う使い捨ておむつ（Disposable Diaper With Integral Backsheet Landing Zone）」）に記載され、尚、両文献とも、本明細書において参考に組み入れられる。また締着装置は、米国特許第４，９６３，１４０号明細書（ロバートソンら、１９９０年１０月１６日発行）に開示されているような物品を使い捨て構成で保持��るための手段を、もたらすことが可能であり、尚、この文献は、本明細書において参考として組み入れられる。
【００９９】
本開示によるおむつ１３８は、シャーシ１４０全体又はシャーシの一部、例えば耳部１４２，１４４，１４６、１４８、股領域１５８、及び／又は腰部領域１５４、１５６が伸張できるようにする種々のタイプの前述した材料を用いて構成することができることを理解されたい。シャーシ全体又はシャーシの一部を、長手方向、横方向、又は両方（すなわち、２軸伸張）で伸張するように構成できることを理解されたい。いくつかの実施形態においては、シャーシは、長手方向の伸張領域、横方向の伸張領域、及び／又は２軸の伸張領域を含んでいても良い。例えば、いくつかの実施形態においては、股領域１５８の全長を、長手方向及び／又は横方向に伸張するように構成する。他の実施形態においては、股領域１５８の対向する端部領域は、シャーシ１４０のうちの長手方向及び／又は横方向に伸縮できる部分のみである。更に他の実施形態においては、股領域の中央又は近位領域は、シャーシ１４０のうち長手方向及び／又は横方向に伸縮できる部分のみである。このような例示的構成において、股領域又はそのサブ領域は、シャーシ１４０の残りの部分のそれとは異なる材料を含んでいても良く、異なる処理（例えば、セルフィング（SELFing）、機械的リングローリング）、又はそれらの組み合わせが施してあっても良い。構造的な弾性様フィルム（「セルフ（SELF）」）材料を開示する参考文献については、前述している。またシャーシは、「ゼロ歪み」伸張積層体を用いて構成しても良い。ゼロひずみストレッチラミネートは、エラストマーと不織布の両方がピンと張ってない状態でエラストマーを不織布に接着することにより製造される。ゼロ歪み積層体のより詳細な説明を、以下の文献に見出すことができる。米国特許第５，１５６，７９３号、発明の名称「ゼロ歪み伸長積層体ウェブを、種々の程度の弾性を付与するために、非均一の仕方で漸増式に伸長するための方法（Method for Incrementally Stretching Zero Strain Stretch Laminate Web in a Non-uniform Manner to Impart a Varying Degree of Elasticity Thereto）」（ブエルら、１９９２年１０月２０日発行）。なおこの文献は、本明細書において参照により取り入れられている。別の例では、シャーシを、弾性体を伸長すること及び伸長した弾性体を織布に結合することが含まれる場合がある「ライブ伸張」を用いて構成しても良い。結合した後、伸長した弾性体は解放され、それによって弾性体が収縮する結果、「波形化」不織布が得られる。「ライブ伸張」のより詳細な説明を、米国特許第４，７２０，４１５号明細書（ヴァンダーウィーレン（Vander Wielen）ら、１９８８年１月１９日発行）及び米国特許第７，０２８，７３５号明細書（シュナイダー（Schneider）ら、２００６年４月１８日発行）の文献に見出すことができ、尚、これらの文献は、本明細書において参考として組み入れられる。
【０１００】
前述したように、基材の可視面に３次元外観を表示させる場合がある知覚３次元パターンを基材に与えるために、種々の繰り返しパターンを種々のタイプの基材上に印刷することができる。下表に、異なる基材上に印刷された異なるパターン（種々の数のゾーンを伴うマクロ単位を有する）から測定されたＬ＊データを示す。
【０１０１】
下表１〜１２を参照して、Ｌ＊１は、色ゾーン１で測定したＬ＊に対応し、Ｌ＊２は、ゾーン２で測定したＬ＊値に対応し、Ｌ＊３は、ゾーン３で測定したＬ＊値に対応し、Ｌ＊４は、色ゾーン４で測定したＬ＊に対応し、Ｌ＊５は、色ゾーン５で測定したＬ＊に対応し、及びＬ＊６は、色ゾーン６で測定したＬ＊に対応する。表１〜１２に示すＬ＊値は、後述するＬ＊測定手順に従って測定した。更に、表１〜１２におけるΔＬ＊の値を、以下のように定義する。
ΔＬ＊１２＝Ｌ＊１−Ｌ＊２
ΔＬ＊１３＝Ｌ＊１−Ｌ＊３
ΔＬ＊２３＝Ｌ＊２−Ｌ＊３
ΔＬ＊３４＝Ｌ＊３−Ｌ＊４
ΔＬ＊４５＝Ｌ＊４−Ｌ＊５  及び
ΔＬ＊５６＝Ｌ＊５−Ｌ＊６
【０１０２】
試験サンプル１
試験サンプル１は、不織布基材上に印刷されて３つの色ゾーンを有する１．５ｍｍ直径の円形状のマクロ単位を含んでおり、不織布基材の色によって最も明るい色ゾーンが規定され、残りの２つの色ゾーンが不織布基材上に印刷されている。試験サンプル１の不織布基材は、２７ｇｓｍのカードされたポリプロピレンである。参考までに、円形状は概ね、図８に示す円形状のマクロ単位であって、Ｕｐｄが１．５ｍｍで３つの色ゾーンを有するものによって表される。
【表２】
2010510861.tif 000004
【０１０３】
試験サンプル２
試験サンプル２は、不織フィルム積層体基材上に印刷されて３つの色ゾーンを有する１．５ｍｍ直径の円形状のマクロ単位を含んでおり、不織フィルム基材の色によって最も明るい色ゾーンが規定され、残りの２つの色ゾーンが不織フィルム基材上に印刷されている。具体的には、マクロ単位は、フィルム基材に接着された不織布上に印刷されている。試験サンプル２の不織フィルム基材は、１８ｇｓｍのポリプロピレン／ポリエチレン（ＰＰ／ＰＥ）フィルムに接着された２７ｇｓｍのカードされたポリプロピレン不織布を含む。参考までに、円形状は概ね、図８に示す円形状のマクロ単位であって、Ｕｐｄが１．５ｍｍで３つの色ゾーンを有するものによって表される。
【表３】
2010510861.tif 000005
【０１０４】
試験サンプル３
試験サンプル３は、フィルム基材上に印刷されて３つの色ゾーンを有する１．５ｍｍ直径の円形状のマクロ単位を含んでおり、フィルム基材の色によって最も明るい色ゾーンが規定され、残りの２つの色ゾーンがフィルム基材上に印刷されている。試験サンプル３のフィルム基材は、１８ｇｓｍのポリプロピレン／ポリエチレン（ＰＰ／ＰＥ）フィルムである。参考までに、円形状は概ね、図８に示す円形状のマクロ単位であって、Ｕｐｄが１．５ｍｍで３つの色ゾーンを有するものによって表される。
【表４】
2010510861.tif 000006
【０１０５】
表１〜３のデータによって例示されるように、試験サンプル１、２、及び３のマクロ単位は、前述した以下の基準に含まれるＬ＊値を伴うゾーンを有している。
Ｌ１＞Ｌ２＞Ｌ３
３≦（Ｌ１−Ｌ３）  及び
２≦（Ｌ１−Ｌ２）≦１０
【０１０６】
試験サンプル４
試験サンプル４は、不織布基材上に印刷されて５つの色ゾーンを有する３．５ｍｍ直径の円形状のマクロ単位を含んでおり、不織布基材の色によって最も明るい色ゾーンが規定され、残りの４つの色ゾーンが不織布基材上に印刷されている。試験サンプル４の不織布基材は、２７ｇｓｍのカードされたポリプロピレンである。参考までに、円形状は概ね、図８に示す円形状のマクロ単位であって、Ｕｐｄが３．５ｍｍで５つの色ゾーンを有するものによって表される。
【表５】
2010510861.tif 000007
【０１０７】
試験サンプル５
試験サンプル５は、不織フィルム積層体基材上に印刷されて５つの色ゾーンを有する３．５ｍｍ直径の円形状のマクロ単位を含んでおり、不織フィルム基材の色によって最も明るい色ゾーンが規定され、残りの４つの色ゾーンが不織フィルム基材上に印刷されている。具体的には、マクロ単位は、フィルム基材に接着された不織布上に印刷されている。試験サンプル５の不織フィルム基材は、１８ｇｓｍのポリプロピレン／ポリエチレン（ＰＰ／ＰＥ）フィルムに接着された２７ｇｓｍのカードされたポリプロピレン不織布である。参考までに、円形状は概ね、図８に示す円形状のマクロ単位であって、Ｕｐｄが３．５ｍｍで５つの色ゾーンを有するものによって表される。
【表６】
2010510861.tif 000008
【０１０８】
試験サンプル６
試験サンプル６は、フィルム基材上に印刷されて５つの色ゾーンを有する３．５ｍｍ直径の円形状のマクロ単位を含んでおり、フィルム基材の色によって最も明るい色ゾーンが規定され、残りの４つの色ゾーンがフィルム基材上に印刷されている。試験サンプル６のフィルム基材は、１８ｇｓｍのポリプロピレン／ポリエチレン（ＰＰ／ＰＥ）フィルムである。参考までに、円形状は概ね、図８に示す円形状のマクロ単位であって、Ｕｐｄが３．５ｍｍで５つの色ゾーンを有するものによって表される。
【表７】
2010510861.tif 000009
【０１０９】
表４〜６のデータによって例示されるように、試験サンプル４、５、及び６のマクロ単位は、前述した以下の基準に含まれるＬ＊値を伴うゾーンを有している。
Ｌ１＞Ｌ２＞Ｌ３＞Ｌ４＞Ｌ５
２≦（Ｌ１−Ｌ２）≦１０
２≦（Ｌ２−Ｌ３）
２≦（Ｌ３−Ｌ４）  及び
２≦（Ｌ４−Ｌ５）
【０１１０】
試験サンプル７
試験サンプル７は、不織布基材上に印刷されて６つの色ゾーンを有する７．５ｍｍ直径の円形状のマクロ単位を含んでおり、不織布基材の色によって最も明るい色ゾーンが規定され、残りの５つの色ゾーンが不織布基材上に印刷されている。試験サンプル７の不織布基材は、２７ｇｓｍのカードされたポリプロピレンである。参考までに、円形状は概ね、図８に示す円形状のマクロ単位であって、Ｕｐｄが７．５ｍｍで６つの色ゾーンを有するものによって表される。
【表８】
2010510861.tif 000010
【０１１１】
試験サンプル８
試験サンプル８は、不織フィルム積層体基材上に印刷されて６つの色ゾーンを有する７．５ｍｍ直径の円形状のマクロ単位を含んでおり、不織フィルム基材の色によって最も明るい色ゾーンが規定され、その他の５つの色ゾーンが不織フィルム基材上に印刷されている。具体的には、マクロ単位は、フィルム基材に接着された不織布上に印刷されている。試験サンプル８の不織フィルム基材は、１８ｇｓｍのポリプロピレン／ポリエチレン（ＰＰ／ＰＥ）フィルムに接着された２７ｇｓｍのカードされたポリプロピレン不織布である。参考までに、円形状は概ね、図８に示す円形状のマクロ単位であって、Ｕｐｄが７．５ｍｍで６つの色ゾーンを有するものによって表される。
【表９】
2010510861.tif 000011
【０１１２】
試験サンプル９
試験サンプル９は、フィルム基材上に印刷されて６つの色ゾーンを有する７．５ｍｍ直径の円形状のマクロ単位を含んでおり、フィルム基材の色によって最も明るい色ゾーンが規定され、その他の５つの色ゾーンがフィルム基材上に印刷されている。試験サンプル９のフィルム基材は、１８ｇｓｍのポリプロピレン／ポリエチレン（ＰＰ／ＰＥ）フィルムである。参考までに、円形状は概ね、図８に示す円形状のマクロ単位であって、Ｕｐｄが７．５ｍｍで６つの色ゾーンを有するものによって表される。
【表１０】
2010510861.tif 000012
【０１１３】
表７〜９のデータによって例示されるように、試験サンプル７、８、及び９のマクロ単位は、前述した以下の基準に含まれるＬ＊値を伴うゾーンを有している。
Ｌ１＞Ｌ２＞Ｌ３＞Ｌ４＞Ｌ５
２≦（Ｌ１−Ｌ２）≦１０
２≦（Ｌ２−Ｌ３）
２≦（Ｌ３−Ｌ４）
２≦（Ｌ４−Ｌ５）  及び
２≦（Ｌ５−Ｌ６）
【０１１４】
試験サンプル１０
試験サンプル１０は、不織布基材上に印刷されて３つの色ゾーンを有する、図１６に示すパターンによって概ね表されるマクロ単位の繰り返しパターンを含んでおり、不織布基材の色によって最も明るい色ゾーンが規定され、残りの２つの色ゾーンが不織布基材上に印刷されている。試験サンプル１０の不織布基材は、１５ｇｓｍのスパンボンドされた純粋なポリプロピレンである。
【表１１】
2010510861.tif 000013
【０１１５】
試験サンプル１１
試験サンプル１１は、不織布基材上に印刷されて３つの色ゾーンを有する、図１７に示すパターンによって概ね表されるマクロ単位の繰り返しパターンを含んでおり、不織布基材の色によって最も明るい色ゾーンが規定され、残りの２つの色ゾーンが不織布基材上に印刷されている。試験サンプル１１の不織布基材は、１５ｇｓｍのスパンボンドされた純粋なポリプロピレンである。
【表１２】
2010510861.tif 000014
【０１１６】
試験サンプル１２
試験サンプル１２は、フィルム基材上に印刷されて３つの色ゾーンを有する、図１８に示すパターンによって概ね表されるマクロ単位の繰り返しパターンを含んでおり、フィルム基材の色によって最も明るい色ゾーンが規定され、残りの２つの色ゾーンがフィルム基材上に印刷されている。試験サンプル１２のフィルム基材は、１８ｇｓｍのポリプロピレン／ポリエチレンフィルムである。
【表１３】
2010510861.tif 000015
【０１１７】
表１０〜１２のデータによって例示されるように、試験サンプル１０、１１、及び１２のマクロ単位は、前述した以下の基準に含まれるＬ＊値を伴うゾーンを有している。
Ｌ１＞Ｌ２＞Ｌ３
３≦（Ｌ１−Ｌ３）  及び
２≦（Ｌ１−Ｌ２）≦１０
【０１１８】
Ｌ＊測定手順
色測定を、１６ビット色深度において４８００ｄｐｉが可能な市販のフラット・ベッド・スキャナ、例えばエプソン・パーフェクション（Epson Perfection）Ｖ５００フォト・スキャナ（エプソン（Epson）アメリカ（America）、カリフォルニア州ロングビーチ（Long Beach））を用いて行なう。各スキャンをパントン（Pantone）標準に対して較正し、測定を、アドビ・フォトショップＣＳ３拡張版（アドビ・システムズ社（Adobe Systems,Inc）、カリフォルニア州サンノゼ（San Jose））を用いて行なう。サンプルを常に、基材の印刷側上で測定する。例えば、積層体が不織布及びフィルムからなり、印刷物がフィルム上にあってフィルムと不織布との間に挟まれる場合、フィルム上の印刷物を測定する前に不織布を取り除く。
【０１１９】
スキャンの較正は、パントン・フォーミュラ・ガイド−アンコーテッド・ペーパー（Pantone Formula Guide-Uncoated Papers）（パントン、カールスタット（Carlstadt）、ニュージャージー州）からのパントン・プロセス色基準を用いて行なう。ＣＩＥＬ＊ａ＊ｂ＊値を、各色、すなわち、プロセス黄色Ｕ、プロセスマゼンタＵ、プロセスシアンＵ、プロセス黒色Ｕ、及び白色未コーティングペーパに対するパントン標準に対して測定する。三刺激色を、ＡＳＴＭ方法Ｅ１１６４−０７（物体色評価に対する分光学的データ得るための標準実施要項）に従って、ハンター・ラボ・ユニバーサル・ソフトウェア（HunterLab Universal Software）バージョン４．１０を含むハンターラブスキャン（Hunter Labscan）ＸＥ（ハンターラブ（HunterLab）、レストン（Reston）、バージニア州）を用いて、以下の設定の下で測定した：スケールＣＩＥＬＡＢ、０／４５標準モード（StdMode）、エリアビュー１．２７ｃｍ（０．５０インチ）、ポートサイズ１．７８ｃｍ（０．７０インチ）、ＵＶフィルタ公称値。測定の間、前記標準を、ハンターラブによって提供される白色校正プレートを用いて裏打ちする。各色を少なくとも３部で測定して平均化しなければならない。
【０１２０】
サンプルを、印刷側をセンサの方に向けた状態でスキャナ上に配置する。パントン標準もスキャナ上に、サンプル及び標準が両方とも同じ像内に取り込まれるように配置する。
【０１２１】
スキャンを、基本寸法が３ｍｍを上回る物体に対しては、１２００ｄｐｉ及び８ビット色深度で収集してフォトショップに取り込み、基本寸法が３ｍｍを下回る物体に対しては、２４００ｄｐｉ及び８ビット色深度で行なう。フォトショップ内では、像をＬａｂ、８ビット像に変換する（注：このバージョンのフォトショップでは、Ｌ＊ａ＊ｂ＊はＬａｂと不正確に示される）。「レベル」命令を用いて、像のＬチャネルを調整して、パントン標準上の黄色、マゼンタ、シアン、黒色、及び白色のそれぞれに対して２単位以内に読み出すようにする。Ｌ＊ａ＊ｂ＊値を、カラーサンプラーツール（Color Sampler Tool）を用いて、１１×１１の平均サンプルサイズを用いて測定する。
【０１２２】
サンプルの測定時、印刷された物体が最初に特定される。次に、最も明るいゾーン（すなわち、最も高いＬ値）を、カラーサンプラーツールによって測定する。そして最も暗いゾーンを、カラーサンプラーツールによって測定する。最後に、測定を、これら２つのゾーン間の各中間ゾーンにおいて、最も明るいから最も暗いまでの線状経路に沿って行なう。１０個の別個の物体についての測定を少なくとも１組、各サンプルに対して行なう。
【０１２３】
布地剛性試験
本明細書の目的に対する布地剛性試験は、本明細書において参考として組み入れられている、ＡＳＴＭ  Ｄ  ４０３２−９４に記載されているように、円形曲げによる布地剛性試験を修正したものである。本明細書の目的に対する布地剛性試験は、以下のように行なわれる。
【０１２４】
試験方法の概要
プッシャーボールによって材料見本をプラットフォーム内の開口部に強制的に通す。布地を開口部に押し通すために必要な最大の力が、材料の剛性（曲げに対する抵抗）の表示である。
【０１２５】
装置
・円形曲げ剛性テスター、以下の部品を有する。
・プラットフォーム、１０２ｍｍ×１０２ｍｍ×６ｍｍの滑らかに研磨されたクロムメッキの鋼鉄プレートであり、３８．１ｍｍ直径の開口部を有する。開口部の重ね縁部は、４．７５ミリメートルの深さに対して４５度角でなければならない。
・プッシャーボール、開口部と同心に搭載された６ｍｍ直径の鋼鉄球状ボールであり、すべての側面において１６ｍｍのクリアランスを有する。プッシャーボールプランジャの底部は、開口部プレートの最上部の３ｍｍ上方に設定しなければならない。この位置から、下方ストローク長は５７ｍｍである。
・力測定ゲージ、ダイアル又はデジタルタイプのダイアルゲージであって、異なる能力における最大の読み取りポインタは４．４５Ｎ（１ｌｂｆ）〜２２２．４Ｎ（５０ｌｂｆ）、４．９０Ｎ（０．５ｋｇｆ）〜２４５．２Ｎ（２５ｋｇｆ）、又は５〜２００Ｎの範囲であり、１００目盛り（最小）を有するゲージ；又はデジタルゲージであって、最大読み取り値の「保持」機構と、４４４．８Ｎ（１００ｌｂｆ）、４９０．３Ｎ（５０ｋｇｆ）、又は５００Ｎの能力を有し、１０００目盛（最小）を有するゲージ。
・作動装置、手動又はニューマチック。
・試料マーキング・テンプレート、１０２ｍｍ×１０２ｍｍ。
・ストップウォッチ、ストローク速度のチェック用。
【０１２６】
試験試料の数及び調製
試料マーキング・テンプレートを用いて、前述のマークを明記し、試験すべき各材料見本の少しずつずらした領域から５つの試験試料を切り取る。当然のことながら、特定の見本（又は材料が製品に取り込まれた状態でのみ利用可能である場合には特定の製品）からすべての試料を得ることは、現実的でも可能でもない場合がある。このような場合には、試料を複数の製品又は見本から取ることが容認できる。接合、封止、継ぎ目などを伴う試料は回避すべきである。各試料を平らに置いて、正方形１０２ｍｍ×１０２ｍｍを形成する。試料の取り扱いは最小限かつエッジ部分に保って、剛性特性への影響を避けなければならない。
【０１２７】
コンディショニング
試料を８時間以上、２３℃及び５０％相対湿度で保存する。
【０１２８】
手順
・テスターを、平坦面上でダイアルを目の高さに合わせた状態で設定する。
・結果がダイアルゲージ力の１５〜１００％又はデジタルゲージ力の１．５〜１００％の範囲に収まる能力を伴うゲージを選択する。
・フルストローク長に対してテスタープッシャーボール速度制御をチェックする。
・ニューマチック作動装置−作動装置に対する空気圧制御を３２４ｋＰａに設定する。ストップウォッチを用いて、無負荷条件下で１．７±０．１５秒のプランジャ速度となるようにニューマチックを調整する。
・手動の作動装置−ストップウォッチを用いて、１．７±０．３秒のプランジャ速度を設定及び確認する。
・試料を、プッシャーボール下方の開口部プラットフォームの中心に置く。
・プッシャーボール下で３．２ｍｍのクリアランスでは、サンプル厚さの影響で試料を容易に入れることができない場合には、クリアランスを最大で６．３ｍｍまで増やしても良い。記録する際、結果は、標準でない場合には、プッシャーボール・クリアランスを示さなければならない。
・ゲージゼロをチェックして、必要に応じて調整する。
・最大の力読み取り値のスイッチを設定する。
・フルストローク長に対してプッシャーボールを作動させる。試験中は、試料に触ることを避ける。
・最も近いゲージ目盛りに対する最大の力読み取り値を記録する。
・すべての試料を試験するまで前述の指示のように続ける。
【０１２９】
計算
個々の試料読み取り値を平均して、最も近いゲージ増分に四捨五入する。
【０１３０】
記録
平均の力をゲージ単位で記録する。
【０１３１】
剛性布地試験の終わり
本明細書に開示されている寸法及び値は、列挙した正確な数値に厳しく限定されるものとして理解すべきではない。それよりむしろ、特に規定がない限り、こうした各寸法は、列挙された値とその値周辺の機能的に同等の範囲との両方を意味することを意図している。例えば、「４０ｍｍ」として開示された寸法は、「約４０ｍｍ」を意味することを意図する。
【０１３２】
「発明を実施するための形態」で引用した全ての文献は、関連部分において本明細書に参考として組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１３３】
本発明の特定の諸実施形態を図示し、記載したが、本発明の趣旨及び範囲から逸脱することなく他の様々な変更及び修正を実施できることは当業者には自明であろう。したがって、本発明の範囲内にあるそのような全ての変更修正を、添付の特許請求の範囲で扱うものとする。
【図１】
2010510861.tif 000016
【図２】
2010510861.tif 000017
【図３】
2010510861.tif 000018
【図４】
2010510861.tif 000019
【図５】
2010510861.tif 000020
【図６】
2010510861.tif 000021
【図７】
2010510861.tif 000022
【図８】
2010510861.tif 000023
【図９】
2010510861.tif 000024
【図１０】
2010510861.tif 000025
【図１１】
2010510861.tif 000026
【図１２】
2010510861.tif 000027
【図１３】
2010510861.tif 000028
【図１４】
2010510861.tif 000029
【図１５】
2010510861.tif 000030
【図１６】
2010510861.tif 000031
【図１７】
2010510861.tif 000032
【図１８】
2010510861.tif 000033
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
着用者の胴体下部領域の周囲に着用されるように構成された使い捨て吸収性物品であって、
第１の腰部領域と、第２の腰部領域と、第１の腰部領域と第２の腰部領域との中間に配置された股領域と、股領域内に配置された吸収性コアと、基材と、を含むシャーシを含み、
前記基材は、第１の表面と第１の表面の反対側に配置された第２の表面とを有するシートであって、第１の表面上に印刷されたマクロ単位の繰り返しパターンを含むシートを含み、
マクロ単位は、Ｌ１のＬ＊値を規定する第１の色ゾーンと、Ｌ２のＬ＊値を規定する第２の色ゾーンと、Ｌ３のＬ＊値を規定する第３の色ゾーンと、を含み、
Ｌ１＞Ｌ２＞Ｌ３、３≦（Ｌ１−Ｌ３）、及び２≦（Ｌ１−Ｌ２）≦１０である使い捨て吸収性物品。
【請求項２】
各マクロ単位は、距離Ｄｌａｔで分離された第１の横方向の印刷点と第２の横方向の印刷点とを含み、各マクロ単位は、距離Ｄｌｏｎｇで分離された第１の長手方向の点と第２の長手方向の点とを含み、マクロ単位は、Ｄｌｏｎｇ及びＤｌａｔの最小値によって規定される１．５ｍｍ以上である基本寸法Ｕｐｄを含む、請求項１に記載の使い捨て吸収性物品。
【請求項３】
マクロ単位の繰り返しパターンによって、最小の理論上の正方形又は矩形が包囲することができる外側周囲が規定され、
各マクロ単位は、印刷点の矩形又は正方形によって包囲され得、
隣接するマクロ単位の、印刷点の矩形又は正方形の間の最大距離が、０．１ｘ（前記最小の理論上の正方形又は矩形の最も長い辺の長さ）によって規定される、請求項１に記載の使い捨て吸収性物品。
【請求項４】
前記基材はバックシートを含み、第１の表面は衣類側表面を含む、請求項１に記載の使い捨て吸収性物品。
【請求項５】
前記基材はトップシートを含み、第１の表面は身体側表面を含む、請求項１に記載の使い捨て吸収性物品。
【請求項６】
前記基材が、吸収性コアカバー、捕捉層、耳部、及び締着要素から成る群から選択される少なくとも１つのおむつ構成要素を含む、請求項１に記載の使い捨て吸収性物品。
【請求項７】
前記基材は、不織布と、不織布上に印刷されたマクロ単位の繰り返しパターンと、を含む請求項１に記載の使い捨て吸収性物品。
【請求項８】
前記基材は、プラスチックフィルムと、プラスチックフィルム上に印刷されたマクロ単位の繰り返しパターンと、を含む請求項１に記載の使い捨て吸収性物品。
【請求項９】
前記基材は、プラスチックフィルム上に印刷された不織布を更に含む、請求項８に記載の使い捨て吸収性物品。
【請求項１０】
着用者の胴体下部領域の周囲に着用されるように構成された使い捨て吸収性物品であって、
第１の腰部領域と、第２の腰部領域と、第１の腰部領域と第２の腰部領域との中間に配置された股領域と、股領域内に配置された吸収性コアと、基材と、を含むシャーシを含み、
前記基材は、第１の表面と第１の表面の反対側に配置された第２の表面とを有するシートであって、第１の表面上に印刷されたマクロ単位の繰り返しパターンを含むシートを含み、
マクロ単位は、少なくとも、Ｌ１のＬ＊値を規定する第１の色ゾーンと、Ｌ２のＬ＊値を規定する第２の色ゾーンと、Ｌ３のＬ＊値を規定する第３の色ゾーンと、Ｌ４のＬ＊値を規定する第４の色ゾーンと、を含み、
Ｌ１＞Ｌ２＞Ｌ３＞Ｌ４、２≦（Ｌ１−Ｌ２）≦１０、２≦（Ｌ２−Ｌ３）、及び２≦（Ｌ３−Ｌ４）である使い捨て吸収性物品。
【請求項１１】
前記基材は、不織布と、不織布上に印刷されたマクロ単位の繰り返しパターンと、を含む請求項１０に記載の使い捨て吸収性物品。
【請求項１２】
前記基材は、プラスチックフィルムと、プラスチックフィルム上に印刷されたマクロ単位の繰り返しパターンと、を含む請求項１０に記載の使い捨て吸収性物品。
【請求項１３】
前記基材が、バックシート、トップシート、吸収性コアカバー、捕捉層、耳部、及び締着要素から成る群から選択される少なくとも１つのおむつ構成要素を含む、請求項１０に記載の使い捨て吸収性物品。
【請求項１４】
基材であって、
第１の表面と第１の表面の反対側に配置された第２の表面とを有するシートと、
第１の表面上に印刷されたマクロ単位の繰り返しパターンと、を含み、
マクロ単位は、Ｌ１のＬ＊値を規定する第１の色ゾーンと、Ｌ２のＬ＊値を規定する第２の色ゾーンと、Ｌ３のＬ＊値を規定する第３の色ゾーンと、を含み、
Ｌ１＞Ｌ２＞Ｌ３、３≦（Ｌ１−Ｌ３）、及び２≦（Ｌ１−Ｌ２）≦１０である基材。
【請求項１５】
各マクロ単位は、距離Ｄｌａｔで分離された第１の横方向の印刷点と第２の横方向の印刷点とを含み、各マクロ単位は、距離Ｄｌｏｎｇで分離された第１の長手方向の点と第２の長手方向の点とを含み、マクロ単位は、Ｄｌｏｎｇ及びＤｌａｔの最小値によって規定される１．５ｍｍ以上である基本寸法Ｕｐｄを含む、請求項１４に記載の基材。
【請求項１６】
シートは外側周囲を有する形状を規定し、外側周囲は、この外側周囲を包囲することができる最小の理論上の正方形又は矩形を規定し、
各マクロ単位は、印刷点の矩形又は正方形によって包囲され得、
隣接するマクロ単位の、印刷点の矩形又は正方形の間の最大距離が、０．１ｘ（前記最小の理論上の正方形又は矩形の最も長い辺の長さ）によって規定される、請求項１４に記載の基材。
【請求項１７】
第１の表面は第１の面積を規定し、第２の表面は第２の面積を規定し、第１の面積が第２の面積に実質的に等しい、請求項１６に記載の基材。
【請求項１８】
マクロ単位の繰り返しパターンは、第１の表面上にグラビア印刷により印刷される、請求項１４に記載の基材。
【請求項１９】
マクロ単位の繰り返しパターンは、第１の表面上にフレキソ印刷により印刷される、請求項１４に記載の基材。
【請求項２０】
前記シートは、不織布と、不織布上に印刷されたマクロ単位の繰り返しパターンと、を含む請求項１４に記載の基材。
【請求項２１】
前記シートは、プラスチックフィルムと、プラスチックフィルム上に印刷されたマクロ単位の繰り返しパターンと、を含む請求項１４に記載の基材。
【請求項２２】
前記シートの第１の表面上に配置された不織布を更に含む、請求項２１に記載の基材。
【請求項２３】
ティッシュペーパーを更に含み、マクロ単位の繰り返しパターンは、ティッシュペーパー上に印刷される、請求項１４に記載の基材。
【請求項２４】
基材であって、
第１の表面と第１の表面の反対側に配置された第２の表面とを有するシートと、
第１の表面上に印刷されたマクロ単位の繰り返しパターンと、を含み、
マクロ単位は、少なくとも、Ｌ１のＬ＊値を規定する第１の色ゾーンと、Ｌ２のＬ＊値を規定する第２の色ゾーンと、Ｌ３のＬ＊値を規定する第３の色ゾーンと、Ｌ４のＬ＊値を規定する第４の色ゾーンと、を含み、
Ｌ１＞Ｌ２＞Ｌ３＞Ｌ４、２≦（Ｌ１−Ｌ２）≦１０、２≦（Ｌ２−Ｌ３）、及び２≦（Ｌ３−Ｌ４）である基材。
【請求項２５】
前記シートが、バックシート、トップシート、吸収性コアカバー、捕捉層、耳部、及び締着要素から成る群から選択される少なくとも１つのおむつ構成要素を含む、請求項２４に記載の基材。
【国際調査報告】
2010510861.tif 000034
2010510861.tif 000035
2010510861.tif 000036